(57)【特許請求の範囲】
【請求項１】
被写体を撮像して該被写体の画像データを生成し、動画および静止画を撮影可能な撮像装置であって、
前記画像データを表示可能な表示部と、
複数の画像処理を組み合わせることにより視覚的な効果を生じさせるアート効果を前記画像データに対して付与するアート効果処理を実行可能であるとともに、複数のフレームにわたって視覚的な効果を生じさせる動画中特殊効果を付与する動画中特殊効果処理として前記アート効果処理の種類を時間の経過とともに徐々に切り替えていくトランジット処理を実行可能である画像処理部と、
前記画像処理部における動画中特殊効果処理の開始を指示する動画中特殊効果開始信号の入力を受け付ける動画中特殊効果開始信号入力部と、
前記画像処理部が行うアート効果処理が複数種類設定されている場合、前記動画中特殊効果開始信号の入力に応じて、前記画像処理部に実行させるアート効果処理を切り替える画像処理制御部と、
前記トランジット処理における切り替え対象である複数の前記アート効果に関する情報を前記表示部に表示させる表示制御部と、
を備えたことを特徴とする撮像装置。
【請求項２】
前記表示制御部は、
前記表示部に対し、前記複数のアート効果にそれぞれ対応する複数のアイコンを切り替え順に並べて表示させるとともに、前記トランジット処理によって切り替え中の２つの前記アート効果にそれぞれ対応する２つの前記アイコンをハイライト表示させることを特徴とする請求項１に記載の撮像装置。
【請求項３】
前記表示制御部は、
前記トランジット処理によって切り替え中の２つの前記アート効果にそれぞれ対応する２つの前記アイコンの間に、切り替え前の前記アイコンから切り替え後の前記アイコンへ向かう矢印を前記表示部に表示させることを特徴とする請求項２に記載の撮像装置。
【請求項４】
前記トランジット処理の対象となる前記アート効果の選択入力を受け付ける入力部をさらに備え、
前記表示制御部は、
前記表示部に対し、前記複数のアート効果の少なくとも一部を選択可能に表示するアイコンを表示させ、前記入力部が選択入力を受け付けた前記アート効果を前記アイコン中でハイライト表示させることを特徴とする請求項１に記載の撮像装置。
【請求項５】
前記画像データを含む情報を記憶する記憶部を備え、
前記画像処理制御部は、
当該撮像装置が動画の画像データを前記記憶部へ記録中である場合、当該撮像装置が前記画像データを前記表示部でライブビュー表示している場合と比して、前記アート効果処理の切り替えに要する時間を長くすることを特徴とする請求項１〜４のいずれか一項に記載の撮像装置。
【請求項６】
前記画像処理部は、
前記画像処理部が行うアート効果処理が複数種類設定されている場合において、当該撮像装置が静止画撮影を行ったとき、前記複数種類のアート効果処理を実行することを特徴とする請求項１〜５のいずれか一項に記載の撮像装置。
【請求項７】
前記表示部の表示画面上に設けられ、外部からの接触位置に応じた信号の入力を受け付けるタッチパネルを有し、
前記画像処理制御部は、
前記表示部における前記アイコンの表示位置に対応する前記タッチパネルの領域からの入力信号を該アイコンの選択指示信号と認識することを特徴とする請求項２〜４のいずれか一項に記載の撮像装置。
【請求項８】
前記画像データを含む情報を記憶する記憶部を備え、
前記動画中特殊効果を付与した動画中特殊効果画像の前記表示部における表示を開始させるシミュレーション信号の入力を受け付けるシミュレーション信号入力部と、
前記動画中特殊効果画像の前記記憶部への記録を開始させる効果記録開始信号の入力を受け付ける効果記録開始信号入力部と、
前記動画中特殊効果画像の前記表示部における表示および前記記憶部への記録を停止させる効果停止信号の入力を受け付ける効果停止信号入力部と、
を備えたことを特徴とする請求項１に記載の撮像装置。
【請求項９】
前記画像処理部は、
予め設定された撮影条件に応じた仕上がり効果を生じさせる仕上がり効果処理を行って仕上がり画像データを生成することがさらに可能であり、
前記画像処理制御部は、
前記アート効果処理および前記仕上がり効果処理が合計で複数種類設定されている場合、前記動画中特殊効果開始信号の入力に応じて、前記画像処理部に実行させるアート効果処理および仕上がり効果処理を切り替えることを特徴とする請求項１〜８のいずれか一項に記載の撮像装置。
【請求項１０】
前記アート効果処理および前記仕上がり効果処理の処理内容を設定する複数の設定信号の入力を受付可能な設定信号入力部をさらに備え、
前記画像処理制御部は、
前記設定信号入力部によって入力された前記複数の設定信号の入力順に応じて、前記アート効果および前記仕上がり効果処理の切り替えを行うことを特徴とする請求項９に記載の撮像装置。
【請求項１１】
被写体を撮像して該被写体の画像データを生成し、動画および静止画を撮影可能であるとともに前記画像データを表示可能な撮像装置が行う撮像方法であって、
複数の画像処理を組み合わせることにより視覚的な効果を生じさせるアート効果処理が複数種類設定されている場合において、前記複数種類のいずれかのアート効果処理を実行中に、複数のフレームにわたって視覚的な効果を生じさせる動画中特殊効果を付与する動画中特殊効果処理として前記アート効果処理の種類を時間の経過とともに徐々に切り替えていくトランジット処理を開始する動画中特殊効果開始信号の入力を受け付けたとき、実行中のアート効果処理を前記複数種類に含まれる別のアート効果処理に時間の経過とともに徐々に切り替える効果切替ステップと、
前記効果切替ステップを実行前または実行中に、前記トランジット処理における切り替え対象である複数の前記アート効果に関する情報を表示する表示ステップと、
を有することを特徴とする撮像方法。
【請求項１２】
被写体を撮像して該被写体の画像データを生成し、動画および静止画を撮影可能であるとともに前記画像データを表示可能な撮像装置に、
複数の画像処理を組み合わせることにより視覚的な効果を生じさせるアート効果処理が複数種類設定されている場合において、前記複数種類のいずれかのアート効果処理を実行中に、複数のフレームにわたって視覚的な効果を生じさせる動画中特殊効果を付与する動画中特殊効果処理として前記アート効果処理の種類を時間の経過とともに徐々に切り替えていくトランジット処理を開始する動画中特殊効果開始信号の入力を受け付けたとき、実行中のアート効果処理を前記複数種類に含まれる別のアート効果処理に時間の経過とともに徐々に切り替える効果切替ステップと、
前記効果切替ステップを実行前または実行中に、前記トランジット処理における切り替え対象である複数の前記アート効果に関する情報を表示する表示ステップと、
を実行させることを特徴とする撮像プログラム。
【発明の詳細な説明】
【技術分野】
【０００１】
本発明は、被写体を撮像して該被写体の画像データを生成する撮像装置、撮像方法および撮像プログラムに関する。
【背景技術】
【０００２】
近年、デジタルカメラ等の撮像装置では、自然な印象を有するきれいな画像を生成する機能にとどまらず、複数の画像処理を施すことによってノイズ、シェーディング、ぼかし等の視覚的な特殊効果を意図的に付加する機能を有するものが知られている。このような機能を有する撮像装置は、従来得られなかった独特の印象を与える撮影を可能としている。
【０００３】
例えば、下記特許文献１では、ユーザが撮像装置における動作モードの設定などを行う際に、異なる画像処理を行った画像をマルチ画面で表示する技術し、ユーザがわかりやすく選択できるユーザインターフェースに関する技術が開示されている。
【０００４】
また、下記特許文献２では、特殊画像処理を行った画像を時系列的に自動的に切り替えながら表示する技術が開示されている。
【先行技術文献】
【特許文献】
【０００５】
【特許文献１】特開２００８−２１１８４３号公報
【特許文献２】特開２０１０−２１９９０５号公報
【発明の概要】
【発明が解決しようとする課題】
【０００６】
ところで、特殊効果を適用した動画を撮影するとき、シーンによってはユーザが特殊効果を切り替えたくなる場合がある。そのような場合、上記特許文献１に記載の従来技術では、マルチ画面表示で画面表示と選択を指示するため余分な動作が必要になり、タイミングを逃してしまう可能性があった。また、上記特許文献２に記載の従来技術では、ユーザが意図しないタイミングで特殊効果が変更されてしまうという問題があった。
【０００７】
本発明は、上記に鑑みてなされたものであって、動画撮影中に特殊効果を容易にかつユーザ所望のタイミングで切り替えることができる撮像装置、撮像方法および撮像プログラムを提供することを目的とする。
【課題を解決するための手段】
【０００８】
上述した課題を解決し、目的を達成するために、本発明に係る撮像装置は、被写体を撮像して該被写体の画像データを生成し、動画および静止画を撮影可能な撮像装置であって、複数の画像処理を組み合わせることにより視覚的な効果を生じさせるアート効果を前記画像データに対して付与するアート効果処理を実行可能であるとともに、複数のフレームにわたって視覚的な効果を生じさせる動画中特殊効果を付与する動画中特殊効果処理を実行可能である画像処理部と、前記画像処理部における動画中特殊効果処理の開始を指示する動画中特殊効果開始信号の入力を受け付ける動画中特殊効果開始信号入力部と、前記画像処理部が行うアート効果処理が複数種類設定されている場合、前記動画中特殊効果開始信号の入力に応じて、前記画像処理部に実行させるアート効果処理を切り替える画像処理制御部と、を備えたことを特徴とする。
【０００９】
また、本発明に係る撮像装置は、上記発明において、前記画像処理部が行う動画中特殊効果処理は、前記アート効果処理の種類を時間の経過とともに徐々に切り替えていくトランジット処理であることを特徴とする。
【００１０】
また、本発明に係る撮像装置は、上記発明において、前記画像データを表示可能な表示部と、前記画像データを含む情報を記憶する記憶部と、を備え、前記画像処理制御部は、当該撮像装置が動画の画像データを前記記憶部へ記録中である場合、当該撮像装置が前記画像データを前記表示部でライブビュー表示している場合と比して、前記アート効果処理の切り替えに要する時間を長くすることを特徴とする。
【００１１】
また、本発明に係る撮像装置は、上記発明において、前記画像処理部は、前記画像処理部が行うアート効果処理が複数種類設定されている場合において、当該撮像装置が静止画撮影を行ったとき、前記複数種類のアート効果処理を実行することを特徴とする。
【００１２】
また、本発明に係る撮像装置は、上記発明において、前記画像データを表示可能な表示部と、前記複数種類のアート効果に対応するアイコンの少なくとも一部を前記表示部に表示させる表示制御部と、を備えたことを特徴とする。
【００１３】
また、本発明に係る撮像装置は、上記発明において、前記表示部の表示画面上に設けられ、外部からの接触位置に応じた信号の入力を受け付けるタッチパネルを有し、前記画像処理制御部は、前記表示部における前記アイコンの表示位置に対応する前記タッチパネルの領域からの入力信号を該アイコンの選択指示信号と認識することを特徴とする。
【００１４】
また、本発明に係る撮像装置は、上記発明において、前記画像データを表示可能な表示部と、前記画像データを含む情報を記憶する記憶部と、を備え、前記動画中特殊効果を付与した動画中特殊効果画像の前記表示部における表示を開始させるシミュレーション信号の入力を受け付けるシミュレーション信号入力部と、前記動画中特殊効果画像の前記記憶部への記録を開始させる効果記録開始信号の入力を受け付ける効果記録開始信号入力部と、前記動画中特殊効果画像の前記表示部における表示および前記記憶部への記録を停止させる効果停止信号の入力を受け付ける効果停止信号入力部と、を備えたことを特徴とする。
【００１５】
また、本発明に係る撮像装置は、上記発明において、前記画像処理部は、予め設定された撮影条件に応じた仕上がり効果を生じさせる仕上がり効果処理を行って仕上がり画像データを生成することがさらに可能であり、前記画像処理制御部は、前記アート効果処理および前記仕上がり効果処理が合計で複数種類設定されている場合、前記動画中特殊効果開始信号の入力に応じて、前記画像処理部に実行させるアート効果処理および仕上がり効果処理を切り替えることを特徴とする。
【００１６】
また、本発明に係る撮像装置は、上記発明において、前記アート効果処理および前記仕上がり効果処理の処理内容を設定する複数の設定信号の入力を受付可能な設定信号入力部をさらに備え、前記画像処理制御部は、前記入力部によって入力された前記複数の設定信号の入力順に応じて、前記アート効果および前記仕上がり効果処理の切り替えを行うことを特徴とする。
【００１７】
また、本発明に係る撮像方法は、被写体を撮像して該被写体の画像データを生成し、動画および静止画を撮影可能な撮像装置が行う撮像方法であって、複数の画像処理を組み合わせることにより視覚的な効果を生じさせるアート効果処理が複数種類設定されている場合において、前記複数種類のいずれかのアート効果処理を実行中に、複数のフレームにわたって視覚的な効果を生じさせる動画中特殊効果を付与する動画中特殊効果処理を開始する動画中特殊効果開始信号の入力を受け付けたとき、実行中のアート効果処理を前記複数種類に含まれる別のアート効果処理に切り替える効果切替ステップを有すること特徴とする。
【００１８】
また、本発明に係る撮像プログラムは、被写体を撮像して該被写体の画像データを生成し、動画および静止画を撮影可能な撮像装置に、複数の画像処理を組み合わせることにより視覚的な効果を生じさせるアート効果処理が複数種類設定されている場合において、前記複数種類のいずれかのアート効果処理を実行中に、複数のフレームにわたって視覚的な効果を生じさせる動画中特殊効果を付与する動画中特殊効果処理を開始する動画中特殊効果開始信号の入力を受け付けたとき、実行中のアート効果処理を前記複数種類に含まれる別のアート効果処理に切り替える効果切替ステップを実行させることを特徴とする。
【発明の効果】
【００１９】
本発明によれば、動画中特殊効果開始信号の入力に応じてアート効果処理の切り換えを行うため、動画撮影中に特殊効果を容易にかつユーザ所望のタイミングで切り替えることができる。
【図面の簡単な説明】
【００２０】
【図１】図１は、本発明の実施の形態１に係る撮像装置の構成を示すブロック図である。
【図２】図２は、本発明の実施の形態１に係る撮像装置のユーザに面する側（前面側）の構成を示す斜視図である。
【図３】図３は、本発明の実施の形態１に係る撮像装置のアート効果画像処理部が行うアート効果処理の概要を示す図である。
【図４】図４は、マルチエコーの概要を説明する図である。
【図５】図５は、ワンショットエコーの概要を説明する図である。
【図６】図６は、最新の撮影画像に合成されるＳＤＲＡＭ画像の係数の時間変化を示す図である。
【図７】図７は、トランジットの概要を説明する図である。
【図８】図８は、トランジット処理において開始トリガ入力前にかけられているアート効果の係数の時間変化を示す図である。
【図９】図９は、揺らぎの概要を説明する図である。
【図１０】図１０は、動画記録時と動画非記録時における十字キーの各矢印キーへの操作割り当て例を示す図である。
【図１１】図１１は、本発明の実施の形態１に係る撮像装置が備えるレンズ制御部と制御部との同期通信の一例を示すタイミングチャートである。
【図１２】図１２は、本発明の実施の形態１に係る撮像装置の表示部が表示するメニュー画面における画面遷移例を示す図である。
【図１３】図１３は、本発明の実施の形態１に係る撮像装置の表示部が表示するメニュー画面における画面遷移例（第２例）を示す図である。
【図１４】図１４は、本発明の実施の形態１に係る撮像装置がピクチャーブラケットモードに設定された場合の処理の概要を示す図である。
【図１５】図１５は、Ｖｉｖｉｄ処理が施されている状態の表示部における画面表示例を示す図である。
【図１６】図１６は、図１５に示す状態で動画中特殊効果開始信号が入力された直後の表示部における画面表示例を示す図である。
【図１７】図１７は、本発明の実施の形態１に係る撮像装置が行う処理の概要を示すフローチャートである。
【図１８】図１８は、本発明の実施の形態１に係る撮像装置の表示部における動画用の画面表示例を示す図である。
【図１９】図１９は、本発明の実施の形態１に係る撮像装置が行う動画中特殊効果制御処理の概要を示すフローチャートである。
【図２０】図２０は、本発明の実施の形態１に係る撮像装置が行う画像処理の概要を示すフローチャートである。
【図２１】図２１は、本発明の実施の形態１の変形例１−１に係る撮像装置が行うピクチャーブラケット設定時のトランジット処理における表示部の画面表示例を示す図である。
【図２２】図２２は、本発明の実施の形態１の変形例１−２に係る撮像装置が行うピクチャーブラケット設定時のトランジット処理の概要を示す図である。
【図２３】図２３は、本発明の実施の形態１の変形例１−３に係る撮像装置が静止画撮影待機状態にある場合の表示部における画面表示例を示す図である。
【図２４】図２４は、本発明の実施の形態１の変形例１−３に係る撮像装置が動画撮影待機状態にある場合の表示部における画面表示例を示す図である。
【図２５】図２５は、本発明の実施の形態１の変形例１−３に係る撮像装置において、動画中特殊効果としてトランジットが選択された場合の表示部における画面表示例を示す図である。
【図２６】図２６は、本実施の形態２に係る撮像装置の構成を示すブロック図である。
【図２７】図２７は、本発明の実施の形態２に係る撮像装置におけるユーザインターフェースの割り当てを示す図である。
【図２８】図２８は、本発明の実施の形態２に係る撮像装置の動画記録時における状態遷移の概要を示す図である。
【発明を実施するための形態】
【００２１】
以下、添付図面を参照して、本発明を実施するための形態（以下、「実施の形態」という）を説明する。図面の記載において、同一の部分には同一の符号を付して説明する。
【００２２】
（実施の形態１）
本発明の実施の形態１は、静止画と動画を撮影可能な撮像装置を用いて動画記録を開始すると、静止画用に割り当てられた操作入力用のユーザインターフェースの機能が動画特殊効果用に切り替わることを特徴とする。
【００２３】
本実施の形態１に係る撮像装置は、動画撮影中に静止画を撮影する機能を有する。ここで、動画撮影中の静止画撮影とは、動画を撮影している途中で静止画を撮影する場合と、動画撮影を終了した直後に静止画を撮影する場合とを含む。また、動画を撮影している途中で静止画を撮影する場合には、静止画撮影時に動画撮影を一旦停止する場合と、静止画撮影を動画撮影と並行して行う場合とが含まれる。
【００２４】
図１は、本実施の形態１に係る撮像装置の構成を示すブロック図である。図２は、本発明の実施の形態１に係る撮像装置のユーザに面する側（前面側）の構成を示す斜視図である。図１および図２に示す撮像装置１は、本体部２と、本体部２に着脱自在なレンズ部３と、を備える。
【００２５】
本体部２は、シャッタ１０と、シャッタ駆動部１１と、撮像素子１２と、撮像素子駆動部１３と、信号処理部１４と、Ａ／Ｄ変換部１５と、画像処理部１６と、ＡＥ処理部１７と、ＡＦ処理部１８と、画像圧縮展開部１９と、入力部２０と、表示部２１と、表示駆動部２２と、記録媒体２３と、メモリＩ／Ｆ２４と、ＳＤＲＡＭ（Synchronous  Dynamic  Random  Access  Memory）２５と、Ｆｌａｓｈメモリ２６と、本体通信部２７と、バス２８と、制御部２９と、を備える。
【００２６】
シャッタ１０は、撮像素子１２の状態を露光状態または遮光状態に設定する。シャッタ駆動部１１は、ステッピングモータ等を用いて構成され、制御部２９から入力される指示信号に応じてシャッタ１０を駆動する。
【００２７】
撮像素子１２は、レンズ部３が集光した光を受光して電気信号に変換するＣＣＤ（Charge  Coupled  Device）またはＣＭＯＳ（Complementary  Metal  Oxide  Semiconductor）等を用いて構成される。撮像素子駆動部１３は、所定のタイミングで撮像素子１２から画像データ（アナログ信号）を信号処理部１４に出力させる。この意味で、撮像素子駆動部１３は、電子シャッタとして機能する。
【００２８】
信号処理部１４は、撮像素子１２から入力されるアナログ信号に対して、アナログ処理を施してＡ／Ｄ変換部１５に出力する。具体的には、信号処理部１４は、アナログ信号に対して、ノイズ低減処理およびゲインアップ処理等を行う。例えば、信号処理部１４は、アナログ信号に対して、リセットノイズ等を低減した上で波形整形を行い、さらに目的の明るさとなるようにゲインアップを行う。
【００２９】
Ａ／Ｄ変換部１５は、信号処理部１４から入力されるアナログ信号に対してＡ／Ｄ変換を行うことによってデジタルの画像データを生成し、バス２８を介してＳＤＲＡＭ２５に出力する。
【００３０】
画像処理部１６は、バス２８を介してＳＤＲＡＭ２５から画像データを取得し、取得した画像データ（ＲＡＷデータ）に対して各種の画像処理を行って処理画像データを生成する。この処理画像データは、バス２８を介してＳＤＲＡＭ２５に出力される。画像処理部１６は、基本画像処理部１６１と、アート効果画像処理部１６２と、動画中特殊効果画像処理部１６３と、を有する。
【００３１】
基本画像処理部１６１は、画像データに対して、少なくとも、オプティカルブラック減算処理、ホワイトバランス（ＷＢ）調整処理、撮像素子がベイヤー配列の場合には画像データの同時化処理、カラーマトリクス演算処理、ガンマ補正処理、色再現処理およびエッジ強調処理等を含む基本の画像処理を行う。また、基本画像処理部１６１は、予め設定された各画像処理のパラメータに基づいて、自然な画像を再現する仕上がり効果処理を行って仕上がり効果画像データを生成する。仕上がり効果処理には、例えば画像を自然な色合いに仕上げる処理であるＮａｔｕｒａｌ、画像を色鮮やかに仕上げる処理であるＶｉｖｉｄ、被写体の素材性を重視して仕上げる処理であるＦｌａｔ、画像をモノクロ調に仕上げる処理であるＭｏｎｏｔｏｎｅが含まれる。ここで、各画像処理のパラメータとは、コントラスト、シャープネス、彩度、ホワイトバランスおよび階調の値である。
【００３２】
アート効果画像処理部１６２は、１つの画像データに対して複数の画像処理を組み合わせることにより、視覚的な効果を生じさせるアート効果処理を行って処理画像データ（以下、「アート効果画像データ」という）を生成する。
【００３３】
図３は、アート効果画像処理部１６２が行うアート効果処理の概要を示す図である。図３ではアート効果処理として、ポップアート、ファンタジックフォーカス、ジオラマ、トイフォト、ラフモノクロームの５種類が記載されている。以下、これらのアート効果処理について説明する。
【００３４】
ポップアートは、色をカラフルに強調し、明るく楽しい雰囲気を表現する処理である。ポップアートは、例えば彩度強調処理およびコントラスト強調処理を組み合わせることによって実現される。全体に高コントラストで高彩度の効果である。
【００３５】
ファンタジックフォーカスは、画像全体にぼかし処理を施し、ぼかす前の画像と一定の割合で合成するソフトフォーカスの効果を与える処理である。ファンタジックフォーカスは、中間の輝度をより明るくするトーンカーブ処理を行うことにより、柔らかいトーンの中で、被写体のディテールを残しながら、幸福な光に包まれたように美しく幻想的な雰囲気の画像を結像または生成する。ファンタジックフォーカスは、例えばトーンカーブ処理、ぼかし処理、アルファブレンド処理および画像合成処理等の画像処理を組み合わせることによって実現される。
【００３６】
ジオラマは、高コントラストで高彩度の画像に、画像の周縁部をぼかすことにより、ミニチュア模型やおもちゃを見ているかのような雰囲気を画面上に作り出す処理である。ジオラマは、例えば色相・彩度処理、コントラスト処理、周辺ぼかし処理および合成処理等を組み合わせることによって実現される。このうち、周辺ぼかし処理は、画像の中心からの距離に応じ、周辺部ほどぼける度合いが大きくなるように、画像の位置に応じてローパス係数を変更しながらローパスフィルタ処理を行うものである。なお、周辺ぼかし処理として、画像の上下のみ、または画像の左右のみをぼかすようにしてもよい。
【００３７】
トイフォトは、画像の中心からの距離が大きいほど輝度が小さく（暗く）なるようにして、あたかも穴から覗き込んで異空間に迷い込んだような効果を生じさせる処理である。トイフォトは、例えばローパスフィルタ処理、ホワイトバランス処理、コントラスト処理、色相・彩度処理に加え、輝度信号に対して周辺ほど小さい係数を乗じるシェーディング処理等の画像処理を組み合わせることによって実現される（トイフォト、シェーディングの詳細な内容については、例えば特開２０１０−７４２４４号公報を参照）。
【００３８】
ラフモノクロームは、高コントラストとフィルムの粒状のノイズを付加してモノクロ画像の力強さや荒々しさを表現する処理である。ラフモノクロームは、例えばエッジ強調処理、レベル補正最適化処理、ノイズパターン重畳処理、合成処理およびコントラスト処理等を組み合わせることによって実現される（ラフモノクロームの詳細な内容については、例えば特開２０１０−６２８３６号公報を参照）。このうちノイズパターン重畳処理（ノイズ付加処理）は、予め作成したノイズパターン画像をもとの画像に加算する処理である。ノイズパターン画像は、例えば乱数などを発生させ、この乱数に基づいて生成してもよい。
【００３９】
なお、アート効果画像処理部１６２は、上述したアート効果処理以外にも、例えば、画像中の高輝度部に対してクロスパターンを描写するクロスフィルター処理や、画像の中心部から周縁部に行くにしたがって徐々に白味を帯びる効果が施すホワイトエッジ処理等を行うことも可能である。
【００４０】
動画中特殊効果画像処理部１６３は、動画を記録する際、画像に特殊効果を加える画像処理を行う。動画中特殊効果画像処理部１６３が実行可能な動画中特殊効果としては、例えばマルチエコー、ワンショットエコー、トランジット、揺らぎがある。以下、これらの動画中特殊効果について説明する。
【００４１】
図４は、マルチエコーの概要を説明する図である。マルチエコーとは、直前の記録用画像と今撮影した画像の合成を所定の期間繰り返すことによって画像に残像が残る効果である。具体的には、図４に示すように、ボール１０１が動く軌跡を残像として表示することができる効果である。
【００４２】
動画中特殊効果画像処理部１６３は、動画中特殊効果としてマルチエコーが設定されている場合、開始トリガが入力されると、その直後に生成された画像に対して、一つ前のフレームの画像を所定の割合で合成する処理（マルチエコー処理）を行う。
【００４３】
図４に示す場合、動画中特殊効果画像処理部１６３は、開始トリガ入力直後の撮影画像Ｐ１とその１つ前のフレームの撮影画像Ｐ０に対応する記録画像Ｒ０とを合成することによってマルチエコー画像Ｒ１を生成する。この合成の際、各画素において、撮影画像Ｐ１の信号に係数０．６を乗じる一方、記録画像Ｒ０の信号に係数０．４を乗じる。
続いて、動画中特殊効果画像処理部１６３は、次のフレームの撮影画像Ｐ２と合成画像Ｒ１とを合成することによってマルチエコー画像Ｒ２を生成する。マルチエコー画像Ｒ２を生成する際には、各画素において、撮影画像Ｐ２の信号に係数０．６を乗じる一方、合成画像Ｒ１の信号に係数０．４を乗じる。
【００４４】
動画中特殊効果画像処理部１６３は、終了トリガが入力されるまで、上述した合成処理を繰り返し行うことによってマルチエコー画像を順次生成する。終了トリガが入力されると、記録媒体２３には、撮影画像Ｐ５に対応する記録画像Ｒ５が記録される。
【００４５】
図５は、ワンショットエコーの概要を説明する図である。ワンショットエコーとは、特定のフレームの画像（一瞬の画像）が徐々に薄くなりながら消えていく効果である。具体的には、図５に示すように、特定の時間に撮影されたボール１０１がしばらくの間撮影画像に残像として残るような効果である。
【００４６】
動画中特殊効果画像処理部１６３は、動画中特殊効果としてワンショットエコーが設定されている場合、開始トリガが入力されると、その直後に撮影して記録された画像データを一旦ＳＤＲＡＭ２５に保存し、この画像データをその後に撮影された画像データに対して時間とともに徐々に重みが減衰するように合成していく処理（ワンショットエコー処理）を行う。
【００４７】
図５に示す場合、開始トリガの入力直後に撮影された撮影画像Ｐ１はＳＤＲＡＭ２５に記憶される（以下、ＳＤＲＡＭ画像Ｓ１という）。動画中特殊効果画像処理部１６３は、ＳＤＲＡＭ２５が記憶するＳＤＲＡＭ画像Ｓ１と最新の撮影画像とを所定の比率で合成する。
【００４８】
図５に示す場合、開始トリガ入力直後には撮影画像Ｐ１に対応するワンショットエコー画像Ｒ１１が表示される。
その後、時間ｔ＝ｔ２において、動画中特殊効果画像処理部１６３は、ＳＤＲＡＭ画像Ｓ１と撮影画像Ｐ２とを合成することによってワンショットエコー画像Ｒ１２を生成する。この合成を行う際、各画素において、ＳＤＲＡＭ画像Ｓ１の信号に係数ａ1＝０．８を乗じる一方、撮影画像Ｐ２の信号に係数１−ａ1＝０．２を乗じる。
その後、動画中特殊効果画像処理部１６３は、時間ｔ＝ｔ3において、ＳＤＲＡＭ画像Ｓ１の信号に乗じる係数をａ＝０．４、撮影画像Ｐ３の信号に乗じる係数を１−ａ＝０．６として合成したワンショットエコー画像Ｒ１３を生成する。
その後、動画中特殊効果画像処理部１６３は、時間ｔ＝ｔ4において、ＳＤＲＡＭ画像Ｓ１の信号に乗じる係数をａ＝０．２、撮影画像Ｐ４の信号に乗じる係数を１−ａ＝０．８として合成したワンショットエコー画像Ｒ１４を生成する。
その後、時間ｔ＝ｔ5において係数ａ＝０となるため、撮影画像Ｐ５が記録画像Ｒ５となる。
【００４９】
図６は、最新の撮影画像に合成されるＳＤＲＡＭ画像の合成比率の時間変化を示す図である。図６において、横軸ｔは開始トリガ入力時点（ｔ＝０）からの経過時間であり、縦軸ａはＳＤＲＡＭ画像Ｓ１の各画素の信号に乗じる係数である。図６に示すように、係数ａは、ｔ＝０でａ1であり、時間とともに滑らかに減少していき、開始トリガ入力から所定時間ｔ5経過した時点で０となる。すなわち、ＳＤＲＡＭ画像Ｓ１の合成画像中に占める割合は、時間とともに徐々に減少していく設定がなされている。これにより、ＳＤＲＡＭ画像Ｓ１が時間とともに徐々に消えていくような画像を作り出すことができる。
【００５０】
なお、図６に示す曲線は一例に過ぎず、時間とともに係数ａが減衰するなどして一定時間で係数ａが０となるように滑らかに変化する曲線であればどのようなものでもよく、例えば係数ａが一定値をとる期間を含む曲線でもよい。
【００５１】
また、係数ａは、開始トリガからのフレーム数に応じて定めるようにしてもよい。この場合には、フレーム単位で徐々に係数ａの値を減少させながら、所定のフレーム数（例えば１２０フレーム）で係数が０となるようにすればよい。
【００５２】
図７は、トランジットの概要を説明する図である。トランジットは、１つの画像に対して付与されるアート効果が、別のアート効果へと徐々に比率を変えながら変わっていく効果である。図７では、アート効果Ａからアート効果Ｂへ変化するトランジットを模式的に示している。図７において、トランジットの開始トリガ入力直前は、撮影画像Ｐ０に対してアート効果Ａを施したアート効果画像Ａ０が生成される。トランジットでアート効果の切り替え開始から切り替え終了までに要する時間は、適宜設定可能である。
【００５３】
図７に示す場合、開始トリガ入力前は、アート効果Ａが設定されているものとする。すなわち、開始トリガ入力直前において、アート効果画像処理部１６２は、撮影画像Ｐ０にアート効果Ａを施したアート効果画像Ｒ２０を形成しているものとする。
【００５４】
開始トリガが入力されると、動画中特殊効果画像処理部１６３は、撮影画像Ｐ１にアート効果Ａを施したアート効果画像Ａ１に係数ｂ（＝ｂ0）＝０．８を乗じる一方、撮影画像Ｐ１にアート効果Ｂを施したアート効果画像Ｂ１に係数１−ｂ（＝１−ｂ0）＝０．２を乗じた２つの画像を合成することによってトランジット画像Ｒ２１を生成する。
その後、動画中特殊効果画像処理部１６３は、時間ｔ＝ｔ12において、撮影画像Ｐ２にアート効果Ａを施したアート効果画像Ａ２の信号に乗じる係数をｂ＝０．６とし、撮影画像Ｐ２にアート効果Ｂを施したアート効果画像Ｂ２の信号に乗じる係数を１−ｂ＝０．４として合成したトランジット画像Ｒ２２を生成する。
その後、動画中特殊効果画像処理部１６３は、時間ｔ＝ｔ13において、撮影画像Ｐ３にアート効果Ａを施したアート効果画像Ａ３の信号に乗じる係数をｂ＝０．４とし、撮影画像Ｐ３にアート効果Ｂを施したアート効果画像Ｂ３の信号に乗じる係数を１−ｂ＝０．６として合成したトランジット画像Ｒ２３を生成する。
その後、動画中特殊効果画像処理部１６３は、時間ｔ＝ｔ14において、撮影画像Ｐ４にアート効果Ａを施したアート効果画像Ａ４の信号に乗じる係数をｂ＝０．２とし、撮影画像Ｐ４にアート効果Ｂを施したアート効果画像Ｂ４の信号に乗じる係数を１−ｂ＝０．８として合成したトランジット画像Ｒ２４を生成する。
その後、動画中特殊効果画像処理部１６３は、時間ｔ＝ｔ15において、撮影画像Ｐ５にアート効果Ｂのみを施した（ｂ＝０）トランジット画像Ｒ２５を生成する。
【００５５】
図８は、トランジット処理において開始トリガ入力前から付与されているアート効果の合成比率（係数）ｂの時間変化を示す図である。図８において、曲線Ｌ１は、動画記録時の係数ｂの時間変化を示している。曲線Ｌ１において、係数ｂはｔ＝０でｂ0であり、時間とともに滑らかに減少していき、開始トリガ入力から所定時間ｔ15経過した時点で０となる。
【００５６】
一方、図８に示す曲線Ｌ２は、動画非記録時の係数ｂの時間変化を示している。曲線Ｌ２において、係数ｂはｔ＝０でｂ0であり、時間とともに徐々に減少するが、現象の割合は曲線Ｌ１よりも大きい。したがって、係数ｂが０となるまでに時間ｔ15'は、時間ｔ15よりも小さい（ｔ15'＜ｔ15）。
【００５７】
また、図８に示す曲線Ｌ２'は、動画非記録時の係数ｂの別な時間変化の例を示している。曲線Ｌ２'において、係数ｂが０となるまでの時間ｔ15''は、０よりわずかに大きい値である。すなわち、曲線Ｌ２'の場合、係数ｂは、開始トリガの入力直後に０となる。
【００５８】
このように、本実施の形態１においては、トランジット処理に要する時間が、動画記録時と動画非記録時で異なる。これにより、ユーザは、動画非記録時には、トランジット効果を迅速に確かめることができる。一方、動画記録時には、トランジットによってアート効果が変化していく状況をじっくりと見せることができる。
【００５９】
なお、図８に示す曲線Ｌ１、Ｌ２は一例に過ぎず、時間とともに係数ｂが減衰するなどして一定時間で係数ｂが０となるように滑らかに変化する曲線であればどのようなものでもよく、例えば係数ｂが一定値をとる期間を含む曲線でもよい。
【００６０】
また、係数ｂを、開始トリガからのフレーム数に応じて定めるようにしてもよい。この場合には、フレーム単位で滑らかに係数ｂの値を減少させながら、所定のフレーム数（例えば１２０フレーム）で係数が０となるようにすればよい。
【００６１】
図９は、揺らぎの概要を示す図である。揺らぎとは、動画中の各フレームに対して付与するアート効果のかかり具合を時間とともにランダムに変化させることによって得られる効果である。図９では、一例として、アート効果がクロスフィルターである場合を示している。この場合、動画中特殊効果画像処理部１６３は、クロス１０２を時間とともにランダムに回転させるとともに、クロス１０２の大きさを時間とともにランダムに変化させることによって揺らぎを与えている。
【００６２】
引き続き、撮像装置１の構成を説明する。
ＡＥ処理部１７は、バス２８を介してＳＤＲＡＭ２５に記録された画像データを取得し、取得した画像データに基づいて、静止画撮影または動画撮影を行う際の露出条件を設定する。具体的には、ＡＥ処理部１７は、画像データから輝度を算出し、算出した輝度に基づいて、例えば絞り値（Ｆ値）の設定値、シャッタ速度等を決定することで撮像装置１の自動露出を行う。
【００６３】
ＡＦ処理部１８は、バス２８を介してＳＤＲＡＭ２５に記録された画像データを取得し、取得した画像データに基づいて、撮像装置１の自動焦点の調整を行う。例えば、ＡＦ処理部１８は、画像データから高周波成分の信号を取り出し、高周波成分の信号に対してＡＦ（Auto  Focus）演算処理を行うことによって、撮像装置１の合焦評価を決定することで撮像装置１の自動焦点の調整を行う。
【００６４】
画像圧縮展開部１９は、バス２８を介してＳＤＲＡＭ２５から画像データを取得し、取得した画像データに対して所定の形式に従って圧縮し、この圧縮した画像データをＳＤＲＡＭ２５に出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部１９は、バス２８およびメモリＩ／Ｆ２４を介して記録媒体２３に記録された画像データ（圧縮画像データ）を取得し、取得した画像データを展開（伸長）してＳＤＲＡＭ２５に出力する。なお、記録媒体２３の代わりに撮像装置１の内部に記憶部を設けてもよい。
【００６５】
入力部２０は、静止画撮影および動画撮影における撮影条件を設定する静止画撮影条件設定信号を含む各種設定信号の入力を受け付ける設定信号入力部２０１と、少なくとも動画撮影の開始を指示する動画撮影開始信号の入力を受け付ける動画撮影信号入力部２０２と、動画中特殊効果の開始を指示する動画中特殊効果開始信号の入力を受け付ける動画中特殊効果開始信号入力部２０３と、を有する。
【００６６】
入力部２０は、本体部２の表面に設けられた操作信号入力用のユーザインターフェースを用いて実現される。以下、入力部２０の一部をなすユーザインタフェースの構成を説明する。
【００６７】
撮像装置１は、操作入力用のユーザインタフェースとして、撮像装置１の電源状態をオン状態またはオフ状態に切替える電源ボタン４１と、静止画撮影の指示を与える静止画レリーズ信号の入力を受け付けるレリーズボタン４２と、撮像装置１に設定された各種撮影モードを切り替えるモードダイヤル４３と、撮像装置１の各種設定を切替える操作ボタン４４と、撮像装置１の各種設定を表示部２１に表示させるメニューボタン４５と、記録媒体２３に記録された画像データに対応する画像を表示部２１に表示させる再生ボタン４６と、動画撮影の指示を与える動画レリーズ信号の入力を受け付ける動画ボタン４７と、撮像装置１の各種機能を設定するファンクションキー４８と、データを消去する消去ボタン４９と、表示部２１の表示画面に重ねて設けられ、外部からの接触位置に応じた入力信号を受け付けるタッチパネル５０とを有する。
【００６８】
レリーズボタン４２は、外部からの押圧により進退可能である。レリーズボタン４２が半押しされた場合、撮影準備動作を指示する１ｓｔレリーズ信号が入力される。これに対し、レリーズボタン４２が全押しされた場合、静止画撮影を指示する２ｎｄレリーズ信号が入力される。
【００６９】
操作ボタン４４は、メニュー画面等における選択設定入力を行うために上下左右方向に十字状をなす十字キー４４１と、十字キー４４１による選択を確定する決定ボタン４４２とを有する。十字キー４４１は、上矢印キー４４３、下矢印キー４４４、左矢印キー４４５、右矢印キー４４６からなる。
【００７０】
以上説明したユーザインタフェースのうち、動画ボタン４７以外のボタンは設定信号入力部２０１の一部をなす。また、動画ボタン４７は動画撮影信号入力部２０２の一部をなす。また、ファンクションキー４８は、動画中特殊効果開始信号入力部２０３の機能を兼備する。
【００７１】
図１０は、動画記録中でない場合（動画非記録時）と動画記録中である場合（動画記録時）における十字キー４４１の各矢印キーへの操作割り当て例を示す図である。動画が記録中でない場合、上矢印キー４４３には露出補正操作が割り当てられる。下矢印キー４４４には連写・単写操作が割り当てられる。左矢印キー４４５にはＡＦターゲット操作が割り当てられる。右矢印キー４４６にはフラッシュ設定操作が割り当てられる。
【００７２】
次に、動画記録中である場合を説明する。この場合、上矢印キー４４３にはワンショットエコー開始操作が割り当てられる。下矢印キー４４４にはトランジット開始操作が割り当てられる。左矢印キー４４５は、マルチエコーの開始、停止操作を交互に割り当てトグルキーとして機能する。右矢印キー４４６には揺らぎ開始操作が割り当てられる。なお、揺らぎの終了を任意に選択できるように設定する場合には、右矢印キー４４６に対して、揺らぎの開始操作と終了操作とを交互に操作可能なトグルキーとして機能させればよい。
【００７３】
なお、動画記録時における入力ボタンの割り当ては、図１０に示すものに限られるわけではない。
【００７４】
表示部２１は、液晶または有機ＥＬ（Electro  Luminescence）等からなる表示パネルを用いて構成される。表示駆動部２２は、バス２８を介してＳＤＲＡＭ２５が記憶する画像データまたは記録媒体２３が記憶する画像データを取得し、取得した画像データに対応する画像を表示部２１に表示させる。ここで、画像の表示には、撮影直後の画像データを所定時間（例えば３秒間）だけ表示するレックビュー表示、記録媒体２３に記録された画像データを再生する再生表示、および撮像素子１２が連続的に生成する画像データに対応するライブビュー画像を時系列に沿って順次表示するライブビュー表示等が含まれる。また、表示部２１は、撮像装置１の操作情報および撮影に関する情報を適宜表示する。
【００７５】
記録媒体２３は、撮像装置１の外部から装着されるメモリカード等を用いて構成される。記録媒体２３は、メモリＩ／Ｆ２４を介して撮像装置１に着脱自在に装着される。記録媒体２３には、その種類に応じた図示しない読み書き装置によって画像処理部１６や画像圧縮展開部１９が処理を施した画像データが書き込まれ、または読み書き装置によって記録媒体２３に記録された画像データが読み出される。また、記録媒体２３は、制御部２９の制御のもと、メモリＩ／Ｆ２４およびバス２８を介して撮像プログラムおよび各種情報それぞれをＦｌａｓｈメモリ２６に出力してもよい。
【００７６】
ＳＤＲＡＭ２５は、揮発性メモリを用いて構成される。ＳＤＲＡＭ２５は、バス２８を介してＡ／Ｄ変換部１５から入力される画像データ、画像処理部１６から入力される処理画像データおよび撮像装置１の処理中の情報を一時的に記憶する一次記憶部としての機能を有する。例えば、ＳＤＲＡＭ２５は、信号処理部１４、Ａ／Ｄ変換部１５およびバス２８を介して、撮像素子１２が１フレーム毎に順次出力する画像データを一時的に記憶する。
【００７７】
Ｆｌａｓｈメモリ２６は、不揮発性メモリを用いて構成される。Ｆｌａｓｈメモリ２６は、プログラム記録部２６１と、特殊効果処理情報記録部２６２と、画像処理情報記録部２６３と、を有する。プログラム記録部２６１は、撮像装置１を動作させるための各種プログラム、撮像プログラムおよびプログラムの実行中に使用される各種データおよび画像処理部１６による画像処理の動作に必要な各種パラメータ等を記録する。特殊効果処理情報記録部２６２は、アート効果画像処理部１６２が行う各アート効果処理における画像処理の組み合わせ情報を記録する。画像処理情報記録部２６３は、画像処理部１６が実行可能な画像処理に処理時間を対応付けた画像処理情報を記録する。また、Ｆｌａｓｈメモリ２６は、撮像装置１を特定するための製造番号等を記録する。
【００７８】
本体通信部２７は、本体部２に装着されたレンズ部３との通信を行うための通信インターフェースである。本体通信部２７には、レンズ部３との電気的な接点も含まれる。
【００７９】
バス２８は、撮像装置１の各構成部位を接続する伝送路等を用いて構成される。バス２８は、撮像装置１の内部で発生した各種データを撮像装置１の各構成部位に転送する。
【００８０】
制御部２９は、ＣＰＵ（Central  Processing  Unit）等を用いて構成される。制御部２９は、画像処理制御部２９１と、表示制御部２９２と、を有する。
【００８１】
画像処理制御部２９１は、バス２８を介して入力される入力部２０からの指示信号に応じて、画像処理部１６に実行させるべき画像処理の内容を設定し、設定した内容に応じた画像処理を、基本画像処理部１６１、アート効果画像処理部１６２、および動画中特殊効果画像処理部１６３のいずれかに実行させる。
【００８２】
表示制御部２９２は、表示部２１の表示態様を制御する。具体的には、表示制御部２９２は、表示駆動部２２を駆動し、画像処理部１６が処理を行った各種画像データに対応する画像を表示部２１に表示させる。
【００８３】
制御部２９は、バス２８を介して入力部２０から送信される指示信号に応じて、撮像装置１を構成する各部に対して制御信号や各種データの送信を行うことにより、撮像装置１の動作を統括的に制御する。
【００８４】
制御部２９は、レリーズボタン４２を介して２ｎｄレリーズ信号が入力された場合、撮像装置１における静止画撮影動作を開始する制御を行う。また、制御部２９は、動画ボタン４７を介して動画撮影開始信号が入力された場合、撮像装置１における動画撮影動作を開始する制御を行う。ここで、撮像装置１における撮影動作とは、シャッタ駆動部１１および撮像素子駆動部１３の駆動によって撮像素子１２が出力した画像データに対し、信号処理部１４、Ａ／Ｄ変換部１５および画像処理部１６が所定の処理を施す動作をいう。このように処理が施された画像データは、画像処理制御部２９１の制御のもと、画像圧縮展開部１９で所定の形式にしたがって圧縮され、バス２８およびメモリＩ／Ｆ２４を介して記録媒体２３に記録される。なお、本実施の形態１では記録媒体２３が記憶部の一部をなしているが、記録媒体２３とは別に撮像装置１の内部に記憶部の機能を有する記憶領域を確保し、この記憶領域に圧縮した画像データを記憶するようにしてもよい。
【００８５】
以上の構成を有する本体部２に対して、音声入出力部、被写体に対して補助光（フラッシュ）を発光する補助光発光部、インターネットを介して外部の装置と双方向に通信を行う機能を有する通信部などをさらに設けてもよい。
【００８６】
次に、レンズ部３の構成を説明する。レンズ部３は、光学系３１と、レンズ駆動部３２と、絞り３３と、絞り駆動部３４と、レンズ操作部３５と、レンズＦｌａｓｈメモリ３６と、レンズ通信部３７と、レンズ制御部３８と、を備える。
【００８７】
光学系３１は、一または複数のレンズを用いて構成される。光学系３１は、所定の視野領域から光を集光する。光学系３１は、画角を変化させる光学ズーム機能および焦点を変化させるフォーカス機能を有する。
【００８８】
レンズ駆動部３２は、ＤＣモータまたはステッピングモータ等を用いて構成され、光学系３１のレンズを光軸Ｌ上で移動させることにより、光学系３１のピント位置や画角等の変更を行う。
【００８９】
絞り３３は、光学系３１が集光した光の入射量を制限することにより露出の調整を行う。
絞り駆動部３４は、ステッピングモータ等を用いて構成され、絞り３３を駆動する。
【００９０】
レンズ操作部３５は、図２に示すように、レンズ部３のレンズ鏡筒の周囲に設けられるリングであり、レンズ部３における光学ズームの操作を開始する操作信号の入力、またはレンズ部３におけるピント位置の調整を指示する指示信号の入力を受け付ける。なお、レンズ操作部３５は、プッシュ式のスイッチ等であってもよい。
【００９１】
レンズＦｌａｓｈメモリ３６は、光学系３１の位置および動きそれぞれを決定するための制御用プログラム、光学系３１のレンズ特性および各種パラメータを記録する。
【００９２】
レンズ通信部３７は、レンズ部３が本体部２に装着されたときに、本体部２の本体通信部２７と通信を行うための通信インターフェースである。レンズ通信部３７には、本体部２との電気的な接点も含まれる。
【００９３】
レンズ制御部３８は、ＣＰＵ（Central  Processing  Unit）等を用いて構成される。レンズ制御部３８は、レンズ操作部３５の操作信号または本体部２からの指示信号に応じてレンズ部３の動作を制御する。具体的には、レンズ制御部３８は、レンズ操作部３５の操作信号に応じて、レンズ駆動部３２を駆動させてレンズ部３のピント合わせやズーム変更を行うとともに、絞り駆動部３４を駆動させて絞り値の変更を行う。なお、レンズ制御部３８は、レンズ部３が本体部２に装着された際に、レンズ部３のピント位置情報、焦点距離およびレンズ部３を識別する固有情報等を本体部２に送信するようにしてもよい。
【００９４】
レンズ制御部３８は、本体部２の制御部２９との間で所定の周期でレンズ通信信号を送受信することによって、本体部２との動作の連携を図っている。図１１は、レンズ制御部３８と制御部２９との同期通信の一例を示すタイミングチャートである。図１１（ａ）は本体部２内の処理を示している。図１１（ｂ）は垂直同期信号を示している。図１１（ｃ）は撮像、読み出しのタイミングを示している。図１１（ｄ）はレンズ通信を示している。図１１（ｅ）はレンズ通信同期信号を示している。図１１（ｆ）はレンズ位置取得信号を示している。図１１（ｇ）はレンズ部３内の処理を示している。
【００９５】
まず、制御部２９は、前フレームで取得した画像データによりライブビュー画像の画像処理およびＡＦ評価値の算出等を画像処理部１６に実行させるとともに、レンズ制御部３８にレンズ状態データを取得するためのレンズ状態データ要求コマンドを送信する（Ｂ１、ＢＬ）。この際、制御部２９は、同期通信モード中に、垂直同期信号と同じ周期でレンズ通信用の同期信号および光学系３１の位置情報を取得するタイミングを指示するレンズ位置取得信号を送信する。このレンズ位置取得信号は、図１１（ｃ）に示すように撮像素子１２の中央部の蓄積時間の１／２が経過した時点で状態が変化する信号である。
【００９６】
レンズ制御部３８は、レンズ位置取得信号の状態が変化したタイミングで光学系３１の位置情報を取得するとともに、レンズ通信同期信号の受信タイミングでレンズ操作部３５の操作状態を検出する（Ｌ１）。
【００９７】
続いて、レンズ制御部３８は、制御部２９から受信したレンズ状態データ要求コマンドへの応答として、工程Ｌ１で取得した光学系３１の位置情報およびレンズ操作部３５の捜査状態を含むレンズ状態データを制御部２９へ送信する（Ｌ２）。
【００９８】
この後、制御部２９は、レンズ制御部３８から送られてきたレンズ状態データに基づいて、ＡＦ評価値の算出や、露出値の変更等の各種設定変更を行う（Ｂ２）。
【００９９】
制御部２９とレンズ制御部３８は、以上説明した処理を周期的に繰り返し行う。
【０１００】
以上の構成を有する撮像装置１は、ピクチャーモードおよびピクチャーブラケットモードを有する。ここで、ピクチャーモードとは、仕上がり効果処理および特殊効果処理の中から１つを選択し、選択した処理項目に対応する処理を画像処理部１６に実行させてライブビュー画像または静止画像を生成させるモードである。また、ピクチャーブラケットモードとは、仕上がり効果処理および特殊効果処理の中から所望の組み合わせを選択して画像処理部１６に実行させることで互いに処理が異なる画像を１回の撮影動作によって複数生成させて記録媒体２３に記録させるモードである。以下、撮像装置１で実行されるピクチャーモードおよびピクチャーブラケットモードそれぞれ設定方法について説明する。
【０１０１】
まず、ユーザが電源ボタン４１を操作することにより、撮像装置１の起動に伴って、表示部２１がライブビュー画像を表示している場合において、ユーザがメニューボタン４５を操作したとき、表示制御部２９２は、メニュー操作画面を表示部２１に表示させる。
【０１０２】
図１２は、メニューボタン４５が操作された場合において、表示部２１が表示するメニュー画面における画面遷移の一例を示す図であり、ピクチャーモードが設定されるときの画面遷移を示す図である。
【０１０３】
図１２に示すように、表示制御部２９２は、メニューボタン４５が操作された場合、撮像装置１の設定内容を示すメニュー画面Ｗ１（図１２（ａ））を表示部２１に表示させる。メニュー画面Ｗ１には、記録形式アイコンＩ１、ピクチャーモードアイコンＩ２およびピクチャーブラケットモードアイコンＩ３等がそれぞれ表示される。なお、メニュー画像Ｗ１が表示された時点では、記録形式アイコンＩ１がデフォルトで選択されており、ハイライト表示されている（図１２（ａ））。なお、図１２では、便宜上ハイライト表示を斜線で表現している。
【０１０４】
ユーザが各アイコンに対応する領域をタッチすると、タッチパネル５０を介して信号が入力される。画像処理制御部２９１は、タッチパネル５０から入力された信号を、タッチされた領域に対応して表示部２１が表示するアイコンの選択信号として認識し、処理を行う。以下の説明においても、アイコンが選択された場合には、タッチパネル５０を介して選択指示信号が入力されるものとする。このため、以下の説明において、タッチパネル５０でアイコンの表示領域に対応する部分がタッチされる場合、「アイコンが選択される」という表現を用いることがある。なお、アイコンの選択入力は、タッチパネル５０以外の入力部２０のボタンを用いて入力できるようにしてもよい。
【０１０５】
記録形式アイコンＩ１は、静止画および動画それぞれの記録形式を設定する記録形式メニュー画面を表示部２１に表示させる指示信号の入力を受け付けるアイコンである。ピクチャーモードアイコンＩ２は、ピクチャーモード選択画面を表示部２１に表示させる指示信号の入力を受け付けるアイコンである。ピクチャーブラケットモードアイコンＩ３は、ピクチャーブラケットモード設定画面を表示部２１に表示させる指示信号の入力を受け付けるアイコンである。
【０１０６】
表示部２１がメニュー画面Ｗ１を表示している状態で、ユーザが十字キー４４１の上矢印キー４４３または下矢印キー４４４等を操作することにより、ピクチャーモードアイコンＩ２が選択された場合、表示制御部２９２がピクチャーモードアイコンＩ２を表示部２１にハイライト表示させる（図１２（ｂ））。なお、表示制御部２９２は、ユーザが選択したアイコンＩ１〜Ｉ３に対して、フォントや大きさを変更して表示部２１に表示させてもよい。
【０１０７】
表示部２１がメニュー画面Ｗ１（図１２（ｂ））を表示している状態で、ユーザによって決定ボタン４４２が操作されることによりアイコンＩ２が選択された場合、表示制御部２９２は、ピクチャーモード設定画面Ｗ２を表示部２１に表示させる（図１２（ｃ））。ピクチャーモード設定画面Ｗ２には、仕上がりアイコンＩ２１と、アート効果アイコンＩ２２とが表示される。なお、表示部２１がピクチャーモード設定画面Ｗ２を表示している状態において、ユーザが左矢印キー４４５を操作したとき、表示制御部２９２は、表示部２１にメニュー画面Ｗ１（図１２（ｂ））を表示させる。
【０１０８】
仕上がりアイコンＩ２１は、仕上がりモード選択画面を表示部２１に表示させる指示信号の入力を受け付けるアイコンである。アート効果アイコンＩ２２は、アート効果撮影モード選択画面を表示部２１に表示させる指示信号の入力を受け付けるアイコンである。
【０１０９】
表示部２１がピクチャーモード設定画面Ｗ２を表示している状態で、ユーザによって仕上がりアイコンＩ２１が確定された場合、表示制御部２９２は、仕上がりモード選択画面Ｗ３を表示部２１に表示させる（図１２（ｄ））。仕上がりモード選択画面Ｗ３には、選択可能な仕上がり効果処理の処理項目に対応するアイコンとしてＮａｔｕｒａｌアイコンＩ３１、ＶｉｖｉｄアイコンＩ３２、ＦｌａｔアイコンＩ３３およびＭｏｎｏｔｏｎｅアイコンＩ３４が表示される。各アイコンＩ３１〜Ａ３４は、基本画像処理部１６１が行う仕上がり効果処理に対応する処理の設定を指示する指示信号の入力を受け付けるアイコンである。なお、図１２（ｄ）は、ＶｉｖｉｄアイコンＩ３２が選択されてハイライト表示している状態を示している。
【０１１０】
表示部２１が仕上がりモード選択画面Ｗ３を表示している状態で、ユーザによって決定ボタン４４２が操作された場合、画像処理制御部２９１は、表示部２１が仕上がりモード選択画面Ｗ３でハイライト表示しているアイコンに対応する仕上がり効果処理（図１２（ｄ）の場合ではＶｉｖｉｄ）をピクチャーモードで行う処理として設定する。
【０１１１】
また、表示部２１がピクチャーモード設定画面Ｗ２を表示している状態で、ユーザが十字キー４４１を操作して特殊効果アイコンＩ２２を選択した場合、表示制御部２９２は、アート効果画像処理部１６２が行うアート効果処理の内容を設定するアート効果設定画面Ｗ４を表示部２１に表示させる（図１２（ｅ））。アート効果設定画面Ｗ４には、選択可能な特殊効果処理の処理項目に対応するアイコンとしてポップアートアイコンＩ４１、ファンタジックフォーカスアイコンＩ４２、ジオラマアイコンＩ４３、トイフォトアイコンＩ４４およびラフモノクロームアイコンＩ４５が表示される。各アイコンＩ４１〜Ａ４５は、アート効果画像処理部１６２が行うアート効果処理の設定を指示する指示信号の入力を受け付けるアイコンである。なお、図１２（ｅ）は、ファンタジックフォーカスアイコンＩ４２が選択されてハイライト表示している状態を示している。
【０１１２】
表示部２１がアート効果設定画面Ｗ４を表示している状態で、ユーザによって決定ボタン４４２が操作された場合、画像処理制御部２９１は、表示部２１がアート効果設定画面Ｗ４でハイライト表示しているアイコンに対応するアート効果処理（図１２（ｅ）の場合は、ファンタジックフォーカス）をピクチャーモードで行う処理として設定する。なお、設定されたアート効果処理に関する情報は、ＳＤＲＡＭ２５に記録される。
【０１１３】
図１２に示すような画面遷移を生じる操作指示信号がタッチパネル５０を介して入力される場合、撮像装置１は、表示部２１が表示するアイコンに重なるタッチパネル５０上の領域がユーザによってタッチされるのと同時に、そのアイコンに対応する操作を決定して実行するようにしてもよい。
【０１１４】
図１３は、メニューボタン４５が操作された場合において、表示部２１が表示するメニュー画面における画面遷移の別の一例を示す図であり、ピクチャーブラケットモードが設定されるときの画面遷移を示す図である。
【０１１５】
図１３（ａ）に示すように、表示部２１がメニュー画面Ｗ１を表示して場合において、ユーザがピクチャーブラケットモードアイコンＩ３を選択したとき、ピクチャーブラケットモードアイコンＩ３がハイライト表示される。
【０１１６】
表示部２１がメニュー画面Ｗ１を表示している状態で、ユーザが決定ボタン４４２を操作した場合、表示制御部２９２は、ピクチャーブラケットモード設定画面Ｗ５を表示部２１に表示させる（図１３（ｂ））。ピクチャーブラケットモード設定画面Ｗ５には、ＯＮアイコンＩ５１と、ＯＦＦアイコンＩ５２とが表示される。
【０１１７】
ＯＮアイコンＩ５１は、ピクチャーブラケットモードを撮像装置１に設定する指示信号の入力を受け付け、ピクチャーブラケットモードの設定フラグをオン状態にするアイコンである。ＯＦＦアイコンＩ５２は、ピクチャーブラケットモードを撮像装置１に設定しない指示信号の入力を受け付け、ピクチャーブラケットモードの設定フラグをオフ状態にするアイコンである。なお、図１３（ｂ）は、ＯＮアイコンＩ５１が選択されてハイライト表示している状態を示している。
【０１１８】
表示部２１がピクチャーブラケットモード設定画面Ｗ５を表示している状態で、ユーザが操作ボタン４４を操作することにより、ＯＮアイコンＩ５１を選択して確定した場合、表示制御部２９２は、ピクチャーブラケットモード選択画面Ｗ６を表示部２１に表示させる（図１３（ｃ））。ピクチャーブラケットモード選択画面Ｗ３６には、ピクチャーブラケットで画像処理部１６が実行可能な処理の処理項目それぞれに対応するアイコンＩ３１〜Ｉ３４が表示される。
【０１１９】
表示部２１がピクチャーブラケットモード選択画面Ｗ６を表示している状態で、ユーザは、決定ボタン４４２または下矢印キー４４４を操作することにより、ピクチャーブラケットモード選択画面Ｗ６から所定のアイコンを選択してピクチャーブラケットモードで行う処理項目を設定する。この際、表示制御部２９２は、操作ボタン４４から入力される操作信号に応じて、ユーザによって選択されたアイコンを表示部２１にアクティブ表示させる。なお、図１３（ｃ）は、ＶｉｖｉｄアイコンＩ３２に対応する処理がピクチャーブラケットモードで行う処理として設定済みであり、ＦｌａｔアイコンＩ３３が選択されてアクティブ表示している状態を示している。ＶｉｖｉｄアイコンＩ３２に表示されている数字「１」は、ピクチャーブラケットとして選択された順番を示している。なお、図１３では、アクティブ表示をアイコンの枠を太くして表現している。
【０１２０】
表示部２１がピクチャーブラケットモード選択画面Ｗ６を表示している状態で、アクティブ表示されているアイコンがＭｏｎｏｔｏｎｅアイコンＩ３４になって状態でユーザが下矢印キー４４４を操作すると、表示制御部２９２は、ピクチャーブラケットモード選択画面Ｗ６をスクロールしてピクチャーブラケットモード選択画面Ｗ７を表示部２１に表示させる（図１３（ｄ））。
【０１２１】
ピクチャーブラケットモード選択画面Ｗ７には、ピクチャーブラケットモードでアート効果画像処理部１６２に実行可能な複数のアート効果処理の処理項目それぞれに対応するアイコンＩ４１〜Ｉ４５が表示される。具体的には、ポップアートアイコンＩ４１、ファンタジックフォーカスアイコンＩ４２、ジオラマアイコンＩ４３、トイフォトアイコンＩ４４およびラフモノクロームアイコンＩ４５が表示される。図１３（ｄ）に示す場合、ポップアートアイコンＩ４１がアクティブ表示される一方、ファンタジックアイコンＩ４２、トイフォトアイコンＩ４４、ラフモノクロームアイコンＩ４５がハイライト表示されている。また、ピクチャーブラケットの選択順は、「１．Ｖｉｖｉｄ」→「２．トイフォト」→「３．ファンタジックフォーカス」→「４．ラフモノクローム」である。
【０１２２】
続いて、ユーザは左矢印キー４４５またはレリーズボタン４２を操作することにより、ピクチャーブラケットモードの設定を終了させる。
【０１２３】
図１４は、撮像装置１がピクチャーブラケットモードに設定された場合の処理の概要を示す図である。図１４では、図１３に示すようにピクチャーブラケットが設定されている場合の処理の概要を示している。この場合には、ユーザが動画中特殊効果開始信号入力部２０３によって動画中特殊効果開始信号を入力すると、動画中特殊効果画像処理部１６３がトランジット処理を開始する。ここでの動画中特殊効果開始信号入力部２０３は、例えばファンクションキー４８である。
【０１２４】
まず、仕上がり効果としてＶｉｖｉｄを付与している状態の時間ｔ21に動画中特殊効果開始信号が入力されると、アート効果画像処理部１６２はトイフォト処理を開始するとともに、動画中特殊効果画像処理部１６３がトランジット処理を開始する。時間ｔ22でトイフォトに切り替わると、基本画像処理部１６１によるＶｉｖｉｄ処理は終了する。
【０１２５】
図１５は、Ｖｉｖｉｄ処理が施されている状態の表示部２１における表示例を示す図である。図１５に示す動画表示画面、ピクチャーブラケットとして選択された４つの効果が、左から選択順にアイコン表示されている（ＶｉｖｉｄアイコンＩ６１、トイフォトアイコンＩ６２、ファンタジックフォーカスアイコンＩ６３、ラフモノクロームアイコンＩ６４）。また、現在処理が施されているアイコン（ＶｉｖｉｄアイコンＩ６１）がハイライト表示されている。これらのアイコンは、タッチパネル５０による対応領域の接触によっ直接選択信号を入力することができる。
【０１２６】
図１６は、図１５に示す状態で動画中特殊効果開始信号が入力された直後の表示部２１における画面表示例を示す図である。この場合には、アート効果画像処理部１６２によるトイフォト処理が開始されるとともに、動画中特殊効果画像処理部１６３によるＶｉｖｉｄからトイフォトへのトランジット処理が開始されているため、ＶｉｖｉｄアイコンＩ６１とトイフォトアイコンＩ６２がハイライト表示され、この２つのアイコンの間にトランジット処理を示す右向きの矢印アイコンＩ６５が表示される。なお、トランジット期間中は、表示部２１でトランジット対象の２つのアイコン以外の表示を消したりしてもよい。また、トランジット期間中は他の効果の選択を無効化してもよいし、他の効果に対応するアイコンが選択された場合には、警告を発して入力を受け付けないようにしてもよい。
【０１２７】
このように、表示部２１では、動画を表示する際に生じた余白を利用して、ピクチャーブラケットに関するアイコンを表示する。これにより、ユーザは、現在付与されている特殊効果を明確に認識することができる。
【０１２８】
なお、この後トランジット処理が終了して表示がトイフォトに完全に移行すると、トイフォトアイコンＩ６２がハイライト表示されることとなる。
【０１２９】
トイフォトへのトランジットが完了した後、時間ｔ23で動画中特殊効果開始信号が入力されると、アート効果画像処理部１６２はファンタジックフォーカス処理を開始するとともに、動画中特殊効果画像処理部１６３がトランジット処理を開始する。時間ｔ24でファンタジックフォーカスに切り替わると、アート効果画像処理部１６２によるトイフォト処理は終了する。トランジット期間中およびトランジット終了後の表示部２１におけるアイコンの表示態様は、図１５、図１６で説明したものと同様である。すなわち、トランジット期間中はトイフォトアイコンＩ６２とファンタジックフォーカスアイコンＩ６３がハイライト表示されるとともに、この２つのアイコンの間に矢印アイコンＩ６５が表示される。また、トランジット期間終了後は、ファンタジックフォーカスアイコンＩ６３のみがハイライト表示される。
【０１３０】
その後、時間ｔ25で動画中特殊効果開始信号が入力されると、アート効果画像処理部１６２はラフモノクローム処理を開始するとともに、動画中特殊効果画像処理部１６３がトランジット処理を開始する。時間ｔ26でラフモノクロームに切り替わると、アート効果画像処理部１６２によるファンタジックフォーカス処理は終了する。この場合、トランジット期間中はファンタジックフォーカスアイコンＩ６３とラフモノクロームアイコンＩ６４がハイライト表示されるとともに、この２つのアイコンの間に矢印アイコンＩ６５が表示される。また、トランジット期間終了後は、ラフモノクロームアイコンＩ６４のみ表示される。
【０１３１】
その後、時間ｔ27で動画中特殊効果開始信号が入力されると、ピクチャーブラケットは一回りしたことになるため、基本画像処理部１６１はＶｉｖｉｄ処理を開始するとともに、動画中特殊効果画像処理部１６３がトランジット処理を開始する。時間ｔ28でＶｉｖｉｄに切り替わると、アート効果画像処理部１６２によるラフモノクローム処理は終了する。この場合、トランジット期間中はラフモノクロームアイコンＩ６４とＶｉｖｉｄアイコンＩ６１がハイライト表示される。なおラフモノクロームアイコンＩ６４とＶｉｖｉｄアイコンＩ６１は並んで表示されていないため、矢印アイコンＩ６５は、ラフモノクロームアイコンＩ６４の右側と、ＶｉｖｉｄアイコンＩ６１の左側にそれぞれ表示する。また、トランジット期間終了後は、ＶｉｖｉｄアイコンＩ６４のみ表示される。
【０１３２】
このようにして、撮像装置１は、動画中特殊効果開始信号入力部２０３が動画中特殊効果開始信号の入力を受け付けるたびに、設定されたピクチャーブラケットに基づくトランジット処理を実行する。
【０１３３】
なお、以上の説明では、ユーザが動画中特殊効果開始信号を押すたびにピクチャーブラケットで設定されているピクチャーモードを順次トランジットしていく場合を説明したが、例えば動画中特殊効果開始信号を１回押した場合に、ピクチャーブラケットを構成するピクチャーモードを設定順に順次トランジットさせていくようにしてもよい。この場合、画像処理制御部２９１は、一定の間隔でトランジット処理を行わせるように動画中特殊効果画像処理部１６３を制御する。
【０１３４】
また、動画中特殊効果画像処理部１６３がピクチャーブラケットに含まれるピクチャモードを順次トランジットしていく場合には、負荷のかかる処理を連続して行わなくて済むように撮像装置１側でトランジットの順番を設定できるようにしてもよい。
【０１３５】
また、動画中特殊効果画像処理部１６３がピクチャーブラケットに含まれるピクチャモードを順次トランジットしていく場合には、ピクチャーモードの使用頻度に応じて、例えば使用頻度の大きい順にトランジットの順番を変更して処理を行うようにしてもよい。
【０１３６】
図１７は、撮像装置１が行う処理の概要を示すフローチャートである。図１７において、まず、ユーザによって電源ボタン４１が操作されて、撮像装置１の電源がオン状態になる（ステップＳ１：Ｙｅｓ）と、制御部２９は、撮像装置１の初期化を行う（ステップＳ２）。この初期化処理において、制御部２９は、例えば動画の記録中を示す記録中フラグをオフ状態にリセットしたり、動画中の特殊効果に関する適用を示す特殊効果フラグをオフ状態にリセットしたり、レンズ制御部３８との間のレンズ通信（図１１を参照）を開始したりする処理を行う。なお、撮像装置１の電源がオン状態でない場合（ステップＳ１：Ｎｏ）、撮像装置１はステップＳ１を繰り返す。
【０１３７】
続いて、再生ボタン４６が操作されることなく（ステップＳ３：Ｎｏ）、メニューボタン４５が操作された場合（ステップＳ４：Ｙｅｓ）、撮像装置１は、設定を変更するためのメニュー画面を表示し、ユーザの選択操作に応じて撮像装置１の各種条件を設定する設定処理を実行する（ステップＳ５）。ステップＳ５の後、撮像装置１は、後述するステップＳ７へ移行する。
【０１３８】
ここで設定される内容は、仕上がり効果処理、アート効果処理、静止画記録モード、動画記録モード、動画中特殊効果処理などである。静止画記録モードは、記録対象とする静止画の種類に応じて定められ、例えばＪＰＥＧ記録モード、ＪＰＥＧ＋ＲＡＷ記録モード、ＲＡＷ記録モードなどがある。動画撮影モードは、動画圧縮形式に応じて定められるモードであって、例えばＭｏｔｉｏｎ−ＪＰＥＧモード、ＭＰ４（Ｈ．２６４）モードなどがある。動画中特殊効果処理で設定されるのは、例えばトランジットによるアート効果の切り替え先や揺らぎなどである。
【０１３９】
ステップＳ３で再生ボタン４６が操作された場合（ステップＳ３：Ｙｅｓ）、撮像装置１は再生処理を行う（ステップＳ６）。このステップＳ６において、表示制御部２９２は、記録媒体２３に記録されているファイル一覧を表示部２１に表示させる。その後、入力部２０によって再生画像が選択入力された場合、記録媒体２３から画像データを取得し、取得した画像データを画像圧縮展開部１９で展開して表示部２１に表示させる。この後、撮像装置１は、ステップＳ１８へ移行する。
【０１４０】
ステップＳ３で再生ボタン４６が操作されることなく（ステップＳ３：Ｎｏ）、メニューボタン４５が操作されていない場合（ステップＳ４：Ｎｏ）において、動画ボタン４７が操作されたとき（ステップＳ７：Ｙｅｓ）、制御部２９は、動画の記録中であることを示す記録中フラグを反転させる（ステップＳ８）。具体的には、例えば記録中フラグがオン状態にある場合、制御部２９は、その記録中フラグをオフ状態に反転させる。
【０１４１】
続いて、制御部２９は、ＳＤＲＡＭ２５に記録された記録中フラグがオン状態であるか否かを判断する（ステップＳ９）。記録中フラグがオン状態であると判断した場合（ステップＳ９：Ｙｅｓ）、制御部２９は、記録媒体２３に画像データを時系列に沿って記録するための動画ファイルを生成して記録媒体２３に格納する（ステップＳ１０）。
【０１４２】
その後、制御部２９は、特殊動画用のユーザインターフェース（ＵＩ）を設定する（ステップＳ１１）。この設定により、例えば図１０に示すような動画記録時の割り当てが実行される。制御部２９は、ステップＳ１１で設定対象となったユーザインタフェースがこの後で受け付ける信号を、図１０に基づく特殊動画用の信号として認識する。
【０１４３】
続いて、表示制御部２９２は、表示部２１に表示させる画面上表示（ＯＳＤ）などの設定を切り替えることによって動画用の画面への切替えを行う（ステップＳ１２）。具体的には、表示制御部２９２は、例えば残り時間や、動画撮影時に特殊効果を適用できることを示すアイコンなどを表示する。この後、撮像装置１は、後述するステップＳ１５へ移行する。
【０１４４】
図１８は、表示部２１における動画用の画面表示例を示す図である。図１８に示すように、動画用画面Ｑでは、動画中特殊効果を適用可能であることを示す動画アイコン１１１、動画用画面キー割り当てを示す画面上表示１１２および動画撮影の残り時間を表示する残り時間１１３が表示される。このうち、画面上表示１１２は数秒間表示した後に自動的に消えるようにしてもよいし、常時表示するようにしてもよい。また、設定信号入力部２０１からの入力によって画面上表示１１２の表示と非表示を切り替えることができるようにしてもよい。
【０１４５】
ステップＳ９において、記録中フラグがオフ状態であると判断した場合（ステップＳ９：Ｎｏ）、制御部２９は、静止画用ユーザインターフェースを設定する（ステップＳ１３）。この後、撮像装置１は、後述するステップＳ１４へ移行する。
【０１４６】
続いて、表示制御部２９２は、表示部２１における画面上表示などの設定を静止画用に切り替える（ステップＳ１４）。この切り替えにより、表示部２１は、例えば残り記録枚数や、静止画撮影時に特殊効果を適用できることを示すアイコンなどを表示する。この後、撮像装置１は、後述するステップＳ１５へ移行する。
【０１４７】
ステップＳ７において、動画ボタン４７が操作されていない場合（ステップＳ７：Ｎｏ）、画像処理制御部２９１は、動画中特殊効果画像処理部１６３に対して動画中特殊効果処理を行わせる（ステップＳ１５）。
【０１４８】
図１９は、動画中特殊効果制御処理の概要を示すフローチャートである。図１９において、動画中特殊効果開始信号入力部２０３が動画中特殊効果開始信号の入力を受け付けた場合（ステップＳ３１：Ｙｅｓ）、画像処理制御部２９１は、動画中特殊効果フラグをオンにする（ステップＳ３２）。その後、画像処理制御部２９１は、効果設定を行う（ステップＳ３３）。
【０１４９】
動画中特殊効果開始信号入力部２０３が動画中特殊効果開始信号の入力を受け付けない場合（ステップＳ３１：Ｎｏ）において、終了指示が入力されたとき（ステップＳ３４：Ｙｅｓ）、画像処理制御部２９１は、動画中特殊効果フラグをオフにする制御を行う（ステップＳ３５）。この後、撮像装置１は、メインルーチンへ戻る。なお、動画中特殊効果としてトランジットまたはワンショットエコーが設定されている場合において、動画中特殊効果開始信号入力部２０３が動画中特殊効果開始信号の入力を一定期間受け付けないとき、撮像装置１自身が終了指示を入力するようにすればよい。
【０１５０】
これに対し、動画中特殊効果開始信号入力部２０３が動画中特殊効果開始信号の入力を受け付けない場合（ステップＳ３１：Ｎｏ）において、終了指示が入力されないとき（ステップＳ３４：Ｎｏ）、撮像装置１はメインルーチンへ戻る。
【０１５１】
ステップＳ１５の動画中特殊効果制御処理の後、レリーズボタン４２から１ｓｔレリーズ信号が入力された場合（ステップＳ１６：Ｙｅｓ）、制御部２９は、ＡＥ処理部１７に露出を調整するＡＥ処理を実行させるとともに、ＡＦ処理部１８にピントを調整するＡＦ処理を実行させる（ステップＳ１７）。
【０１５２】
続いて、制御部２９は、電源ボタン４１が操作されることによって撮像装置１の電源がオフされたか否かを判断する（ステップＳ１８）。撮像装置１の電源がオフされたと制御部２９が判断した場合（ステップＳ１８：Ｙｅｓ）、撮像装置１は、本処理を終了する。これに対して、撮像装置１の電源がオフされていないと制御部２９が判断した場合（ステップＳ１８：Ｎｏ）、撮像装置１は、ステップＳ３へ戻る。
【０１５３】
レリーズボタン４２から１ｓｔレリーズ信号が入力されない場合（ステップＳ１６：Ｎｏ）、レリーズボタン４２から２ｎｄレリーズ信号が入力されたとき（ステップＳ１９：Ｙｅｓ）、制御部２９は、シャッタ駆動部１１および撮像素子駆動部１３をそれぞれ駆動することにより、メカシャッタによる撮影を行う（ステップＳ２０）。
【０１５４】
続いて、画像処理部１６は、撮影した静止画像に対して所定の画像処理を実行する（ステップＳ２１）。なお、画像処理の詳細については後述する。
【０１５５】
この後、制御部２９は、画像データをＪＰＥＧ形式で画像圧縮展開部１９に圧縮させ、この圧縮した画像データを記録媒体２３に記録する（ステップＳ２２）。このステップＳ２２で、制御部２９は、画像圧縮展開部１９がＪＰＥＧ形式で圧縮した画像データに、画像処理部１６が画像処理を行っていないＲＡＷデータを対応付けて記録媒体２３に記録させるようにしてもよい。ステップＳ２２の後、撮像装置１は、ステップＳ１８へ移行する。
【０１５６】
ステップＳ１９において、レリーズボタン４２から２ｎｄレリーズ信号が入力されない場合（ステップＳ１９：Ｎｏ）、制御部２９は、ＡＥ処理部１７に露出を調整するＡＥ処理を実行させるとともに、ＡＦ処理部１８にピントを調整するＡＦ処理を実行させる（ステップＳ２３）。
【０１５７】
続いて、制御部２９は、撮像素子駆動部１３を駆動することにより、電子シャッタによる撮影を実行する（ステップＳ２４）。
【０１５８】
この後、画像処理部１６は、撮像装置１の設定情報に基づいて画像処理を行う（ステップＳ２５）。画像処理の詳細については後述する。
【０１５９】
表示制御部２９２は、画像処理部１６が処理を施した画像データに対応するライブビュー画像を表示部２１に表示させる（ステップＳ２６）。
【０１６０】
続いて、撮像装置１が動画記録中であれば（ステップＳ２７：Ｙｅｓ）、制御部２９は、画像データを画像圧縮展開部１９に圧縮させ、この圧縮した画像データを記録媒体２３に作成された動画ファイルに動画として記録させる（ステップＳ２８）。この後、撮像装置１は、ステップＳ１８へ移行する。これに対して、ステップＳ２７で動画記録中でなければ（ステップＳ２７：Ｎｏ）、撮像装置１はステップＳ１８へ移行する。
【０１６１】
図２０は、画像処理の概要を示すフローチャートである。図２０において、基本画像処理部１６１は基本画像処理を行う（ステップＳ４１）。ここでの基本画像処理は、ＯＢ（Optical  Black）値の減算、ＷＢ補正、同時化、カラーマトリクス演算、ガンマ変換色補正、エッジ強調、ＮＲ（Noise  Reduction）などの処理を含む。
【０１６２】
ここで、ＷＢ補正は、ベイヤ配列の画像データに対して、予めユーザが設定したＷＢモードに応じたＲゲインとＢゲインを乗じて、ＷＢを撮像装置本体のフラッシュメモリから読み出し、その値を乗じることで補正する処理である。
同時化は、撮像素子１２がベイヤー配列であった場合に、その画素にないデータを周辺から補間することによって、各画素がＲＧＢデータで構成されるデータに変換する処理である。
カラーマトリクス演算は、設定されているＷＢモードに応じたカラーマトリクス係数を本体のフラッシュメモリから読み出して乗算する処理である。
ガンマ変換色補正処理では、仕上がりの設定に応じて予め設計したガンマテーブルを本体のフラッシュメモリから読み出し、画像データをガンマ変換する。このとき、ＲＧＢデータに適用するガンマ変換と、ＲＧＢの色空間を輝度信号Ｙと２つの色差信号Ｃｂ、Ｃｒによって表される色空間に変換した後で輝度信号Ｙのみにガンマ変換を行うようにしてもよい。また、適切な色再現性を得るために、仕上がりの設定に応じて予め設計したサイドパラメータを用いて色を補正してもよい。なお、アート効果の種類によってガンマ曲線を変えるようにしてもよい。
エッジ強調処理では、バンドパスフィルタによりエッジ成分を抽出し、エッジ強調度に応じた係数を乗じて画像データに加算することで強調する。
ＮＲ処理では、画像を周波数分解し、周波数に応じてコアリング処理などを行うことでノイズを低減する処理を行う。
【０１６３】
続いて、アート効果画像処理部１６２は、アート効果処理を行う（ステップＳ４２）。ここでは、上述したクロスフィルター、ソフトフォーカス、ノイズ付加、シェーディング、周辺輝度持ち上げ、周辺ぼかし、等の処理を行う。
【０１６４】
一方、撮像装置１が動画撮影を行う場合（ステップＳ４３：Ｎｏ）、制御部２９は、動画中特殊効果が設定されているか否かを判定する（ステップＳ４４）。動画中特殊効果が設定されている場合（ステップＳ４４：Ｙｅｓ）、撮像装置１はステップＳ４５へ移行する。これに対して、動画中特殊効果が設定されていない場合（ステップＳ４４：Ｎｏ）、撮像装置１はメインルーチンへ戻る。
【０１６５】
ステップＳ４４で動画中特殊効果が設定されている場合（ステップＳ４４：Ｙｅｓ）において、適用する効果がマルチエコーであるとき（ステップＳ４５：Ｙｅｓ）、動画中特殊効果画像処理部１６３は、直前の画像処理結果（前フレーム）に対して、上述したマルチエコー処理（図４を参照）として、現在のフレームを所定の比率で合成する（ステップＳ４６）。一方、適用する特殊効果がマルチエコーでないとき（ステップＳ４５：Ｎｏ）、撮像装置１はステップＳ４７へ移行する。
【０１６６】
ステップＳ４７において、制御部２９は、適用する効果がワンショットエコーであるか否かを判定する。適用する効果がワンショットエコーである場合（ステップＳ４７：Ｙｅｓ）、動画中特殊効果画像処理部１６３は、ワンショットエコー効果を得るために、ＳＤＲＡＭ２５が記憶する特定の画像データであるレリーズフレームとの合成処理を行う（ステップＳ４８）。ここで、特殊効果フラグがオンになって最初のフレームの場合、動画中特殊効果画像処理部１６３は、現在のフレームの画像をＳＤＲＡＭ２５に記憶する処理を行う。これに対し、特殊効果フラグがオンになって２フレーム以後の場合、動画中特殊効果画像処理部１６３は、ＳＤＲＡＭ２５が記憶しているレリーズフレームと合成処理を行う。
【０１６７】
ステップＳ４７において、適用する動画中特殊効果がワンショットエコーでない場合（ステップＳ４７：Ｎｏ）、撮像装置１はステップＳ４９へ移行する。
【０１６８】
ステップＳ４９において、制御部２９は、適用する効果が揺らぎであるか否かを判定する。適用する効果が揺らぎである場合（ステップＳ４９：Ｙｅｓ）、動画中特殊効果画像処理部１６３は揺らぎ効果を追加する処理を行う（ステップＳ５０）。
【０１６９】
ステップＳ５０における動画中特殊効果画像処理部１６３の具体的な処理を説明する。動画中特殊効果画像処理部１６３は、シェーディング処理、クロスフィルター処理などのアート効果処理における画像処理パラメータに揺らぎを持たせた効果を追加する。例えば、シェーディング処理であれば、画像の中心からの減衰特性を時間とともに変化させる。周辺ぼかしであれば、ぼかし量やぼかし形状を変化させる。クロスフィルターであれば、クロスパターンの長さや角度を時間とともに変化させる。また、彩度、コントラスト、ホワイトバランスを時間とともに変化させてもよい。なお、揺らぎとシェーディング等のアート効果が重複する場合、両方を付与してもよいし、揺らぎのみを付与するようにしてもよい。
【０１７０】
ステップＳ４９において、適用する効果が揺らぎではない場合（ステップＳ４９：Ｎｏ）、撮像装置１はステップＳ５１へ移行する。
【０１７１】
ステップＳ５１において、制御部２９は、適用する効果がトランジットであるか否かを判定する（ステップＳ５１）。適用する効果がトランジットである場合（ステップＳ５１：Ｙｅｓ）、基本画像処理部１６１およびアート効果画像処理部１６２は、仕上がり／切り替え先の設定に応じた基本画像処理およびアート効果処理をそれぞれ実行する（ステップＳ５２、Ｓ５３）。
【０１７２】
その後、動画中特殊効果画像処理部１６３は、撮像装置１が動画記録中である場合（ステップＳ５４：Ｙｅｓ）、トランジット対象の２つの画像に対して動画記録用の合成処理を行うことによってトランジット画像を生成する（ステップＳ５５）。
【０１７３】
これに対して、動画中特殊効果画像処理部１６３は、撮像装置１が動画記録中でない場合（ステップＳ５４：Ｎｏ）、トランジット対象の２つの画像に対してライブビュー表示用の合成処理を行うことによってトランジット画像を生成する（ステップＳ５６）。ステップＳ５６における動画記録用の合成処理とライブビュー表示用の合成処理との違いは、係数ｂの時間変化の違いである（図８を参照）。
【０１７４】
ステップＳ５５またはステップＳ５６の後、撮像装置１はメインルーチンへ戻る。
【０１７５】
ステップＳ５１において、制御部２９が判定した結果、適用する効果がトランジットでない場合（ステップＳ５１：Ｎｏ）、撮像装置１はメインルーチンへ戻る。
【０１７６】
ステップＳ４３において、撮像装置１が静止画撮影を行う場合（ステップＳ４３：Ｙｅｓ）を説明する。この場合、ピクチャーブラケットが設定されていれば（ステップＳ５７：Ｙｅｓ）、基本画像処理部１６１が基本画像処理を行い（ステップＳ５８）、アート効果画像処理部１６２がアート効果処理を行う（ステップＳ５９）。
【０１７７】
その後、ピクチャーブラケットに含まれる全てのピクチャーモードに対応する基本画像処理およびアート効果処理が終了した場合（ステップＳ６０：Ｙｅｓ）、撮像装置１はメインルーチンへ戻る。一方、ピクチャーブラケットに含まれる全ての基本画像処理およびアート効果処理が終了していない場合（ステップＳ６０：Ｎｏ）、撮像装置１はステップＳ５８に戻る。
【０１７８】
ピクチャーブラケットがオフである場合（ステップＳ５７：Ｎｏ）、撮像装置１はメインルーチンへ戻る。
【０１７９】
以上説明した本発明の実施の形態１によれば、動画中特殊効果開始信号の入力に応じてアート効果処理の切り換えを行うため、動画撮影中に特殊効果を容易にかつユーザ所望のタイミングで切り替えることができる。
【０１８０】
また、本実施の形態１によれば、ユーザの意図したタイミングであらかじめ設定しておいたアート効果にボタンひとつで切り替えられるようになるため、ユーザの意図を反映した動画を、編集作業を経ることなく撮影することができる。一般に、撮像装置は、ＰＣ等と比較してメモリーが少なく処理能力が劣っているため、ＰＣ等と同等の動画データの編集処理を実現することは難しい。また、動画中の静止画撮影や、動画終了直後の静止画撮影の可能な撮像装置においては、メモリー不足やメモリー管理上の問題が決定的なものになり、メモリー増設によるコスト増や、静止画撮影時の応答性や静止画画質の劣化などの問題を発生してしまう恐れもある。本実施の形態１では、この点に鑑み、撮影した動画を編集することなく、撮影時に複数のフレームにわたる時間的な移り変わりの特殊効果による撮影者の作画意図を付与した動画を撮影可能が技術を実現している。
【０１８１】
また、本実施の形態１によれば、ユーザインターフェースをピクチャーブラケットと共通にすることで、ピクチャーブラケットの静止画から動画への拡張としてトランジット機能をユーザに認識してもらうことが可能になる。加えて、自然な操作性で動画撮影中のアート効果切り替えを行うユーザインターフェースを提供することも可能になる。
【０１８２】
また、本実施の形態１によれば、設定信号入力部を構成するユーザインターフェースに動画用と静止画用の入力機能を兼備させることができるため、動画撮影の場合にも操作性に優れたユーザインターフェースを実現することができる。加えて、ユーザインターフェースの数も抑制することができるため、レイアウトの制限も少なくなり、小型化に好適な撮像装置を実現することができる。
【０１８３】
（変形例１−１）
図２１は、本実施の形態１の変形例１−１に係る撮像装置が行うピクチャーブラケット設定時のトランジット処理における表示部２１の画面表示例を示す図である。本変形例１−１において、動画中特殊効果画像処理部１６３は、上述した実施の形態のように２つのピクチャーモードを所定の比率で画素ごとに混ぜる代わりに、画面全体に対してトランジット前のピクチャーモードに対応する画像処理が施されている部分の割合を徐々に低下させていく処理を行う。
【０１８４】
図２１（ａ）に示す画面Ｑ１では、トランジット前のピクチャーモード（ピクチャモードＣという）が全画面にわたって施されている。この後、図２１（ｂ）に示す画面Ｑ２のように、画面中央部にトランジット先のピクチャーモード（ピクチャーモードＤという）が施された領域ＳＤが表れてくる。さらに時間が経過すると、図２１（ｃ）に示す画面Ｑ３のように、ピクチャーモードＤが施された領域ＳＤの面積が増加し、ピクチャーモードＣが付与された領域が減少する。動画中特殊効果画像処理部１６３によるトランジット処理が完了すると、図２１（ｄ）に示す画面Ｑ４のように、画面全体にピクチャーモードＤが施された状態で表示される。
【０１８５】
なお、本変形例１−１において、トランジット先のピクチャーモードが施された領域の現れ方は他の方法でもよい。例えば、画面の右端または左端からトランジット先のピクチャーモードが施された領域が徐々に増えていくように表示してもよいし、画面の中心と画面の外縁上の１点を結ぶ直線から徐々に円周に沿ってトランジット先のピクチャーモードが施された領域が現れてくるように表示してもよい。
【０１８６】
（変形例１−２）
図２２は、本実施の形態１の変形例１−２に係る撮像装置が行うピクチャーブラケット設定時のトランジット処理の概要を示す図である。図２２に示すように、本変形例２においては、動画中特殊効果開始信号入力部２０３が動画中特殊効果開始信号の入力を受け付けると、動画中特殊効果画像処理部１６３は、トランジットの途中で真っ白な画像（白画像）を挿入する。
【０１８７】
なお、本変形例２において、途中に挿入する画像は白画像以外でもよく、例えば真っ黒な画像でもよいし、その他の単色の画像でもよい。
【０１８８】
（変形例１−３）
本実施の形態１の変形例１−３は、タッチパネル５０によって動画中特殊効果の適用形態を切り替えを行い、特にトランジット効果を選択する際に、ピクチャーブラケットを選択できることを特徴とする。
【０１８９】
図２３は、本実施の形態１の変形例１−３に係る撮像装置が静止画撮影待機状態にある場合の表示部２１における画面表示例を示す図である。画面Ｗ２１の左上には、撮影モードアイコンＩ７１（「Ｐ」と表示）が表示されている。また、画面Ｗ２１の右上には、静止画撮影用のメニュー選択アイコンＩ７２（「ＳＴＩＬＬ  ＭＥＮＵ」と表示）と動画撮影用のメニュー選択アイコンＩ７３（「ＭＯＶＩＥ  ＭＥＮＵ」と表示）が設けられている。
【０１９０】
画面Ｗ２１を表示している状態でメニュー選択アイコンＩ７２が選択された場合、表示制御部２９２は、静止画撮影用のメニューとして、ホワイトバランス、ＡＦ、測光をそれぞれ選択するためのアイコンと、元の操作表示画面に戻るためのアイコンを表示部２１に表示させる（図示せず）。
【０１９１】
一方、画面Ｗ２１を表示している状態でメニュー選択アイコンＩ７３が選択された場合、表示制御部２９２は、動画撮影待機状態にある場合の画像を表示部２１に表示させる。図２４は、本変形例１−３に係る撮像装置が動画撮影待機状態にある場合の表示部２１における画面表示例を示す図である。図２４に示す画面Ｗ２２において、表示部２１には、ワンショットエコーアイコンＩ７４（「１Ｓｈｏｔ  Ｅｃｈｏ」と表示）、マルチエコーアイコンＩ７５（「Ｍｕｌｔｉ  Ｅｃｈｏ」と表示）、トランジットアイコンＩ７６（「Ｔｒａｎｓｉｔ」と表示）、リターンアイコンＩ７７（「ＲＥＴ」と表示）の４種類のアイコンが表示される。
【０１９２】
図２４に示す動画撮影待機状態では、静止画撮影時の画像のアスペクト比が変更となり、静止画よりも横長の画像となっている。このため、表示部２１は、画面上下で横長の帯状をなす画像の非表示領域に各種アイコンを表示している。
【０１９３】
画面Ｗ２２で表示されるアイコンのうち、ワンショットエコーアイコンＩ７４、マルチエコーアイコンＩ７５、およびトランジットアイコンＩ７６は、動画中特殊効果としてワンショットエコー、マルチエコー、およびトランジットをそれぞれ選択するためのアイコンである。これらのアイコンのいずれかが選択されると、表示部２１は、選択された動画中特殊効果を施したライブビュー画像を表示する。
【０１９４】
リターンアイコンＩ７７は、一つ前の画像表示に戻るためのアイコンである。
【０１９５】
図２５は、表示部２１が画面Ｗ２２を表示している状態で、動画中特殊効果としてトランジットが選択された場合の表示部２１における画面表示例を示す図である。図２５に示す画面Ｗ２３において、表示部２１には、トランジットアイコンＩ７６、確定アイコンＩ７８（「ＯＫ」と表示）、リターンアイコンＩ７７が画面下部に表示される。また、表示部２１には、トランジットの切替先の効果一覧を表示する切替先効果一覧表示アイコンＩ８１が画面左側に選択可能に表示される。切替先効果一覧表示アイコンＩ８１における項目の表示順は、適宜変更可能である。
【０１９６】
切替先効果一覧表示アイコンＩ８１の上下両端には、上方向へのスクロール信号の入力を受け付ける上スクロールボタンＩ８２と、下方向へのスクロール信号の入力を受け付ける下スクロールボタンＩ８３がそれぞれ設けられている。例えば、上スクロールボタンＩ８１が選択されると、表示が上方へスクロールし、一番上に表示されている項目「Ｖｉｖｉｄ」が消えて項目「ファンタジックフォーカス」が一番上となり、一番下に別の仕上がり項目が表示される。
【０１９７】
図２５に示す場合、切替先効果一覧表示アイコンＩ８１において、「１．トイフォト」→「２．Ｖｉｖｉｄ」が選択されてハイライト表示され、現在ファンタジックフォーカスがアクティブ（太枠で表示）になっている状況を示している。ピクチャーブラケットの選択が終了した場合、ユーザは確定アイコンＩ７８（「ＯＫ」と表示）を選択する。この後、表示制御部２９２は、仕上がり一覧表示アイコンＩ８１を消去する。この後、画像処理制御部２９１は、動画中特殊効果画像処理部１６３に対してトランジット処理を開始させる。
【０１９８】
（実施の形態２）
本発明の実施の形態２に係る撮像装置は、実施の形態１に係る撮像装置に対して、動画中特殊効果をライブビュー表示しながらユーザが所望の効果を確認した上で実際に特殊効果を付与して撮影を行うことができる機能を付加している。
【０１９９】
図２６は、本実施の形態２に係る撮像装置の構成を示すブロック図である。同図に示す撮像装置５１は、入力部５２を除いて、実施の形態１で説明した撮像装置１と同様の構成を有する。以下、入力部５２の構成を説明する。
【０２００】
入力部５２は、設定信号入力部２０１、動画撮影信号入力部２０２、動画中特殊効果開始信号入力部２０３に加えて、シミュレーション信号入力部５２１、効果記録開始信号入力部５２２、および効果停止信号入力部５２３を有する。
【０２０１】
シミュレーション信号入力部５２１は、ライブビュー表示にのみ動画中特殊効果を付与するシミュレーション信号の入力を受け付ける。効果記録開始信号入力部５２２は、動画中特殊効果を施した画像をＳＤＲＡＭ２５および記録媒体２３へ記録させる効果記録開始信号の入力を受け付ける。効果停止信号入力部５２３は、ライブビュー表示および画像の記録において適用されている動画中特殊効果を停止する効果停止信号の入力を受け付ける。
【０２０２】
図２７は、撮像装置５１におけるユーザインターフェースの割り当てを示す図である。まず、動画非記録時の割り当てについて説明する。この場合、十字キー４４１の上矢印キー４４３には、露出補正操作が割り当てられる。下矢印キー４４４には、連写・単写操作が割り当てられる。左矢印キー４４５には、ＡＦターゲット操作が割り当てられる。右矢印キー４４６には、フラッシュ設定操作が割り当てられる。また、動画非記録時には、決定ボタン４４２にカメラ設定操作が割り当てられ、１ｓｔレリーズ操作にＡＥ／ＡＦ操作が割り当てられ、２ｎｄレリーズ操作に撮影操作が割り当てられる。
【０２０３】
次に、動画記録時の割り当てについて説明する。この場合、上矢印キー４４３に効果シミュレーション開始操作が割り当てられる。したがって、上矢印キー４４３は、シミュレーション信号入力部５２１の一部をなす。
下矢印キー４４４には、効果停止操作が割り当てられる。したがって、下矢印キー４４４は、効果停止信号入力部５２３の一部をなす。なお、動画中特殊効果の中で停止指示が必要なものは、マルチエコーと揺らぎである。
左矢印キー４４５および右矢印キー４４６には、効果切り替え操作を割り当てる。
決定ボタン４４２、レリーズボタン４２の１ｓｔレリーズ操作および２ｎｄレリーズ操作には、効果記録開始機能が割り当てられる。したがって、決定ボタン４４２およびレリーズボタン４２は、効果記録開始信号入力部５２２の一部をなす。
【０２０４】
図２８は、撮像装置５１の動画記録時における状態遷移の概要を示す図である。動画記録開始後にライブビュー表示および動画記録表示に対して動画中特殊効果が設定されていない状態（状態Ｉ）において、シミュレーション信号入力部５２１によってシミュレーション信号が入力されると、画像処理制御部２９１は、ライブビュー表示に動画中特殊効果を適用する一方、動画記録では動画中特殊効果を適用しない制御を行う状態ＩＩに遷移する。
【０２０５】
ここで、シミュレーション信号が入力された場合に、撮像装置１がピクチャーブラケットのトランジットを実行するとき、画像処理制御部２９１は、動画中特殊効果画像処理部１６３におけるトランジット処理を、動画記録時と同じ処理内容で行わせるようにしてもよい。すなわち、係数ｂの変化は、図８の曲線Ｌ１にしたがうように制御する。これにより、ユーザは、動画記録時のトランジット効果を画面上で確認することができる。
【０２０６】
状態ＩＩにおいて、効果記録開始信号入力部５２２によって効果記録開始信号が入力されると、画像処理制御部２９１は、ライブビュー表示に加え、ＳＤＲＡＭ２５へ記録する際の画像にも動画中特殊効果の適用を開始する（状態ＩＩＩ）。
【０２０７】
状態ＩＩＩにおいて、効果停止信号入力部５２３によって効果停止信号が入力されると、画像処理制御部２９１は、ライブビュー表示および動画記録に対する動画中特殊効果の適用を停止する。これにより、撮像装置１は状態Ｉへ遷移する。
【０２０８】
以上説明した本発明の実施の形態２によれば、撮像装置がシミュレーション信号入力部、効果開始信号入力部および効果停止信号入力部を備えることにより、ユーザは動画を記録するのに先立って試験的に特殊効果を適用し、その効果を画面上で確かめることができる。したがって、ユーザは、意図したタイミングで期待した効果が適用された、よりクリエイティブな動画を容易に撮影することができる。
【０２０９】
なお、本実施の形態２では、効果記録開始信号の入力を受け付けた時点で動画中特殊効果を付与した画像の記録を開始したが、シミュレーション信号の入力を受け付けてから所定時間経過する間に別の操作が行われない場合には、自動的に動画中特殊効果を付与した画像の記録を開始するようにしてもよい。
【０２１０】
（その他の実施の形態）
ここまで、本発明を実施するための形態を説明してきたが、本発明は上述した実施の形態１および２によってのみ限定されるべきものではない。
【０２１１】
例えば、本発明において、表示部とは別に電子ビューファインダを本体部に設け、この電子ビューファインダにおいて本発明を適用するようにしてもよい。この場合には、表示部と電子ビューファインダとで動画中特殊効果の見え方が異なるようにすればより好ましい。
【０２１２】
また、本発明においては、本体部とレンズ部とが一体的に形成されていてもよい。
【０２１３】
また、本発明に係る撮像装置は、デジタル一眼レフカメラ以外にも、例えばアクセサリ等を装着可能なデジタルカメラ、デジタルビデオカメラおよび撮影機能を有する携帯電話やタブレット型携帯機器等の電子機器にも適用することができる。
【０２１４】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０２１５】
このように、本発明は、ここでは記載していない様々な実施の形態を含みうるものであり、特許請求の範囲によって特定される技術的思想の範囲内で種々の設計変更等を行うことが可能である。
【符号の説明】
【０２１６】
１、５１  撮像装置
２  本体部
３  レンズ部
１２  撮像素子
１６  画像処理部
１９  画像圧縮展開部
２０、５２  入力部
２１  表示部
２２  表示駆動部
２３  記録媒体
２６  Ｆｌａｓｈメモリ
２７  本体通信部
２８  バス
２９  制御部
３１  光学系
３５  レンズ操作部
３６  レンズｆｌａｓｈメモリ
３７  レンズ通信部
３８  レンズ制御部
４１  電源ボタン
４２  レリーズボタン
４３  モードダイヤル
４４  操作ボタン
４５  メニューボタン
４６  再生ボタン
４７  動画ボタン
４８  ファンクションキー
４９  消去ボタン
５０  タッチパネル
１６１  基本画像処理部
１６２  アート効果画像処理部
１６３  動画中特殊効果画像処理部
２０１  設定信号入力部
２０２  動画撮影信号入力部
２０３  動画中特殊効果開始信号入力部
２６１  プログラム記録部
２６２  特殊効果処理情報記録部
２６３  画像処理情報記録部
２９１  画像処理制御部
２９２  表示制御部
４４１  十字キー
４４２  決定ボタン
４４３  上矢印キー
４４４  下矢印キー
４４５  左矢印キー
４４６  右矢印キー
５２１  シミュレーション信号入力部
５２２  効果記録開始信号入力部
５２３  効果停止信号入力部
Ａ１、Ａ２、Ａ３、Ａ４、Ａ５、Ｂ１、Ｂ２、Ｂ３、Ｂ４、Ｂ５、Ｒ２０  アート効果画像
Ｒ１、Ｒ２、Ｒ３、Ｒ４  マルチエコー画像
Ｒ１１、Ｒ１２、Ｒ１３、Ｒ１４  ワンショットエコー画像
Ｒ２１、Ｒ２２、Ｒ２３、Ｒ２４、Ｒ２５  トランジット画像
【図１】
0005872834.tif 000002
【図２】
0005872834.tif 000003
【図３】
0005872834.tif 000004
【図６】
0005872834.tif 000005
【図８】
0005872834.tif 000006
【図９】
0005872834.tif 000007
【図１０】
0005872834.tif 000008
【図１１】
0005872834.tif 000009
【図１２】
0005872834.tif 000010
【図１３】
0005872834.tif 000011
【図１４】
0005872834.tif 000012
【図１５】
0005872834.tif 000013
【図１６】
0005872834.tif 000014
【図１７】
0005872834.tif 000015
【図１８】
0005872834.tif 000016
【図１９】
0005872834.tif 000017
【図２０】
0005872834.tif 000018
【図２１】
0005872834.tif 000019
【図２２】
0005872834.tif 000020
【図２３】
0005872834.tif 000021
【図２４】
0005872834.tif 000022
【図２５】
0005872834.tif 000023
【図２６】
0005872834.tif 000024
【図２７】
0005872834.tif 000025
【図２８】
0005872834.tif 000026
【図４】
0005872834.tif 000027
【図５】
0005872834.tif 000028
【図７】
0005872834.tif 000029